(57)【要約】  本発明の実施形態は、リソーススケジューリング方法を提供し、無線通信技術の分野に関する。方法は、被スケジューリング装置により、スケジューリング装置により送信されたプレスケジューリング情報及び動的スケジューリング情報を受信するステップと、前記プレスケジューリング情報が、前記スケジューリング装置はプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するステップと、前記動的スケジューリング情報が、前記スケジューリング装置は動的スケジューリングリソース範囲内で前記被スケジューリング装置に無線リソースを割り当てることを示すとき、制御シグナリング検出を前記動的スケジューリングリソース範囲内のリソース上で実行するステップと、を含む。被スケジューリング装置は、制御シグナリング検出を全てのリソース上で実行する必要がなく、したがって、被スケジューリング装置の電力消費が削減され、被スケジューリング装置のバッテリ寿命が増大する。
2019500786.tif 000002
【特許請求の範囲】
【請求項１】
被スケジューリング装置であって、前記被スケジューリング装置は、メモリ、通信機、及び前記メモリ及び前記通信機に接続されたプロセッサを含み、前記メモリは命令を格納するよう構成され、前記プロセッサは前記メモリに格納された前記命令を実行するよう構成され、前記メモリに格納された前記命令を実行すると、前記プロセッサは、スケジューリング装置により送信されたスケジューリング指示情報を受信するよう前記通信機を制御するよう構成され、前記スケジューリング指示情報は、プレスケジューリング情報及び動的スケジューリング情報を含み、
前記プレスケジューリング情報が、前記スケジューリング装置がプレスケジューリングリソース範囲内で前記被スケジューリング装置に無線リソースを割り当てることを示すとき、前記プロセッサは、データ受信若しくは送信又は制御シグナリング検出を前記プレスケジューリング情報により示される前記無線リソース上で実行するよう前記通信機を制御し、前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、
前記プロセッサは、前記動的スケジューリング情報が、前記スケジューリング装置が前記動的スケジューリングリソース範囲内で前記被スケジューリング装置に無線リソースを割り当てることを示すとき、制御シグナリング検出を前記動的スケジューリングリソース範囲内のリソース上で実行するよう前記通信機を制御するよう更に構成され、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、被スケジューリング装置。
【請求項２】
データ受信若しくは送信又は制御シグナリング検出が、前記プレスケジューリング情報により示される前記無線リソース上で実行されるとき、前記プロセッサは、前記無線リソースを取得するために、前記プレスケジューリング情報により示されるスケジューリングリソース上で制御シグナリング検出を実行するよう前記通信機を制御し、前記無線リソース上でデータ受信又は送信を実行するよう前記通信機を制御するよう構成され、
前記スケジューリングリソースは、前記プレスケジューリングリソース範囲内の時間周波数リソースである、請求項１に記載の被スケジューリング装置。
【請求項３】
前記プロセッサは、前記プレスケジューリング情報が、前記スケジューリング装置が前記プレスケジューリングリソース範囲内で前記被スケジューリング装置に無線リソースを割り当てないことを示すとき、データ受信若しくは送信又は制御シグナリング検出を前記プレスケジューリングリソース範囲内で実行しないよう前記通信機を制御するよう更に構成され、
前記プロセッサは、前記動的スケジューリング情報が、前記スケジューリング装置が前記動的スケジューリングリソース範囲内で前記被スケジューリング装置に無線リソースを割り当てないことを示すとき、データ受信若しくは送信又は制御シグナリング検出を前記動的スケジューリングリソース範囲内で実行しないよう前記通信機を制御するよう更に構成され、
前記プロセッサは、前記プレスケジューリング情報が、前記スケジューリング装置が前記プレスケジューリングリソース範囲内で前記被スケジューリング装置に無線リソースを割り当てないことを示し、且つ前記動的スケジューリング情報が、前記スケジューリング装置が前記動的スケジューリングリソース範囲内で前記被スケジューリング装置に無線リソースを割り当てないことを示すとき、スリープモードに入るよう前記被スケジューリング装置を制御するよう更に構成される、請求項１に記載の被スケジューリング装置。
【請求項４】
前記プロセッサは、前記スケジューリング装置により送信された前記スケジューリング指示情報を受信するよう前記通信機を制御するとき、前記少なくとも１つのスケジューリング期間に先行するサブフレームにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定データパケットにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内のビーコンフレームにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定サブフレームの特定物理ダウンリンク制御チャネルＰＤＣＣＨにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定サブフレームの特定ＰＤＣＣＨにより伝達されるチャネル指示情報を受信するよう前記通信機を制御し、前記チャネル指示情報により示される物理ダウンリンク共有チャネルＰＤＳＣＨにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記少なくとも１つのスケジューリング期間の前に存在する特定データパケットにより伝達される前記スケジューリング指示情報を受信するよう前記通信機を制御するよう構成される、請求項１乃至３のいずれか一項に記載の被スケジューリング装置。
【請求項５】
前記プロセッサは、前記スケジューリング装置により送信されたリソース範囲割り当て情報を受信するよう前記通信機を制御するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記プロセッサは、前記リソース範囲割り当て情報に従い、前記少なくとも１つのスケジューリング期間内の前記プレスケジューリングリソース範囲及び前記動的スケジューリングリソース範囲を決定するよう更に構成される、請求項１乃至３のいずれか一項に記載の被スケジューリング装置。
【請求項６】
スケジューリング装置であって、前記スケジューリング装置は、メモリ、通信機、及び前記メモリ及び前記通信機に接続されたプロセッサを含み、前記メモリは命令を格納するよう構成され、前記プロセッサは前記メモリに格納された前記命令を実行するよう構成され、前記メモリに格納された前記命令を実行すると、前記プロセッサは、スケジューリング指示情報を生成するよう構成され、前記スケジューリング指示情報は、プレスケジューリング情報及び動的スケジューリング情報を含み、
前記プレスケジューリング情報が、前記スケジューリング装置がプレスケジューリングリソース範囲内で被スケジューリング装置に無線リソースを割り当てることを示すとき、前記被スケジューリング装置が、データ受信若しくは送信又は制御シグナリング検出を前記プレスケジューリング情報により示される前記無線リソース上で実行し、前記動的情報が、前記スケジューリング装置が動的スケジューリングリソース範囲内で前記被スケジューリング装置に無線リソースを割り当てることを示すとき、前記被スケジューリング装置が制御シグナリング検出を前記動的スケジューリングリソース範囲内のリソース上で実行するように、前記プロセッサは、前記スケジューリング指示情報を前記被スケジューリング装置へ送信するよう前記通信機を制御するよう更に構成され、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、スケジューリング装置。
【請求項７】
前記プロセッサは、前記スケジューリング指示情報が前記被スケジューリング装置へ送信されるとき、前記少なくとも１つのスケジューリング期間に先行するサブフレームを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内のサブフレームを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定データパケットを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定サブフレームの特定ＰＤＣＣＨを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定サブフレームの特定ＰＤＣＣＨを用いてチャネル指示情報を送信するよう前記通信機を制御し、前記チャネル指示情報により示される物理ダウンリンク共有チャネルＰＤＳＣＨを用いて前記スケジューリング指示情報を送信するよう前記通信機を制御するよう構成される、又は、
前記プロセッサは、前記スケジューリング指示情報が前記被スケジューリング装置へ送信されるとき、前記少なくとも１つのスケジューリング期間の前に存在する特定データパケットを用いて前記スケジューリング指示情報を送信するよう前記通信機を制御するよう構成される、請求項６に記載のスケジューリング装置。
【請求項８】
前記プロセッサは、前記スケジューリング指示情報を生成するとき、以下の情報：
前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つに従い、前記スケジューリング指示情報を生成するよう構成される、請求項６に記載のスケジューリング装置。
【請求項９】
前記プロセッサは、前記スケジューリング装置にアクセスする被スケジューリング装置に関する情報に従い、リソース範囲割り当て情報を生成するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記プロセッサは、前記リソース範囲割り当て情報を前記被スケジューリング装置へ送信するよう前記通信機を制御するよう更に構成され、
前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つを含む、請求項６に記載のスケジューリング装置。
【請求項１０】
前記プロセッサは、前記リソース範囲割り当て情報を生成するとき、１又は複数の、又は全部の被スケジューリング装置について、リソース範囲割り当て情報を別個に生成するよう構成される、請求項９に記載のスケジューリング装置。
【請求項１１】
スケジューリング方法であって、前記方法は、
被スケジューリング装置により、スケジューリング装置により送信されたスケジューリング指示情報を受信するステップであって、前記スケジューリング指示情報は、プレスケジューリング情報及び動的スケジューリング情報を含む、ステップと、
前記被スケジューリング装置により、前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するステップと、
前記動的スケジューリング情報が、前記スケジューリング装置が動的スケジューリングリソース範囲内で前記被スケジューリング装置に無線リソースを割り当てることを示すとき、前記被スケジューリング装置により、制御シグナリング検出を前記動的スケジューリングリソース範囲内のリソース上で実行するステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、方法。
【請求項１２】
前記被スケジューリング装置により、前記プレスケジューリング情報が、前記スケジューリング装置がプレスケジューリングリソース範囲内で前記被スケジューリング装置に無線リソースを割り当てることを示すとき、データ送信若しくは送信又は制御シグナリング検出を前記プレスケジューリング情報により示される前記無線リソース上で実行する前記ステップは、
前記被スケジューリング装置により、前記無線リソースを得るために、制御シグナリング検出を前記プレスケジューリング情報により示されるスケジューリングリソース上で実行するステップと、
前記被スケジューリング装置により、データ受信又は送信を前記無線リソース上で実行するステップと、
を含み、
前記スケジューリングリソースは、前記プレスケジューリングリソース範囲内の時間周波数リソースである、請求項１１に記載の方法。
【請求項１３】
前記方法は、
前記プレスケジューリング情報が、前記スケジューリング装置が前記プレスケジューリングリソース範囲内で前記被スケジューリング装置に無線リソースを割り当てないことを示すとき、前記被スケジューリング装置により、データ受信若しくは送信又は制御シグナリング検出を前記プレスケジューリングリソース範囲内で実行することをスキップするステップと、
前記動的スケジューリング情報が、前記スケジューリング装置が前記動的スケジューリングリソース範囲内で前記被スケジューリング装置に無線リソースを割り当てないことを示すとき、前記被スケジューリング装置により、データ受信若しくは送信又は制御シグナリング検出を前記動的スケジューリングリソース範囲内で実行することをスキップするステップと、
前記プレスケジューリング情報が、前記スケジューリング装置が前記プレスケジューリングリソース範囲内で前記被スケジューリング装置に無線リソースを割り当てないことを示し、且つ前記動的スケジューリング情報が、前記スケジューリング装置が前記動的スケジューリングリソース範囲内で前記被スケジューリング装置に無線リソースを割り当てないことを示すとき、前記被スケジューリング装置により、スリープモードに入るステップと、
を更に含む請求項１１に記載の方法。
【請求項１４】
被スケジューリング装置により、スケジューリング装置により送信されたスケジューリング指示情報を受信する前記ステップは、
前記被スケジューリング装置により、前記少なくとも１つのスケジューリング期間に先行するサブフレームにより伝達される前記スケジューリング指示情報を受信するステップ、又は、
前記被スケジューリング装置により、前記プレスケジューリングリソース範囲内の特定データパケットにより伝達される前記スケジューリング指示情報を受信するステップ、又は、
前記被スケジューリング装置により、前記プレスケジューリングリソース範囲内のサブフレームにより伝達される前記スケジューリング指示情報を受信するステップ、又は、
前記被スケジューリング装置により、前記プレスケジューリングリソース範囲内の特定サブフレームの特定物理ダウンリンク制御チャネルＰＤＣＣＨにより伝達される前記スケジューリング指示情報を受信するステップ、又は、
前記被スケジューリング装置により、前記プレスケジューリングリソース範囲内の特定サブフレームの特定ＰＤＣＣＨにより伝達されるチャネル指示情報を受信し、前記チャネル指示情報により示される物理ダウンリンク共有チャネルＰＤＳＣＨにより伝達される前記スケジューリング指示情報を受信するステップ、又は、
前記被スケジューリング装置により、前記少なくとも１つのスケジューリング期間の前に存在する特定データパケットにより伝達される前記スケジューリング指示情報を受信するステップ、
を含む、請求項１１乃至１３のいずれか一項に記載の方法。
【請求項１５】
前記方法は、
前記被スケジューリング装置により、前記スケジューリング装置により送信されたリソース範囲割り当て情報を受信するステップであって、前記リソース範囲割り当て情報は、前記少なくとも１つのスケジューリング期間内の前記プレスケジューリングリソース範囲及び前記動的スケジューリングリソース範囲を示すために使用される、ステップと、
前記被スケジューリング装置により、前記リソース範囲割り当て情報に従い、前記少なくとも１つのスケジューリング期間内の前記プレスケジューリングリソース範囲及び前記動的スケジューリングリソース範囲を決定するステップと、
を更に含む請求項１１乃至１３のいずれか一項に記載の方法。
【請求項１６】
リソーススケジューリング方法であって、前記方法は、
スケジューリング装置により、スケジューリング指示情報を生成するステップであって、前記スケジューリング指示情報は、プレスケジューリング情報及び動的スケジューリング情報を含む、ステップと、
前記スケジューリング装置により、前記スケジューリング指示情報を被スケジューリング装置へ送信するステップであって、前記プレスケジューリング情報が、前記スケジューリング装置がプレスケジューリングリソース範囲内で前記被スケジューリング装置に無線リソースを割り当てることを示すとき、前記被スケジューリング装置が、データ受信若しくは送信又は制御シグナリング検出を前記プレスケジューリング情報により示される前記無線リソース上で実行し、前記動的情報が、前記スケジューリング装置が動的スケジューリングリソース範囲内で前記被スケジューリング装置に無線リソースを割り当てることを示すとき、前記被スケジューリング装置が、制御シグナリング検出を前記動的スケジューリングリソース範囲内のリソース上で実行するようにする、ステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、方法。
【請求項１７】
前記スケジューリング装置により、被スケジューリング装置へ前記スケジューリング指示情報を送信する前記ステップは、
前記スケジューリング装置により、前記少なくとも１つのスケジューリング期間に先行するサブフレームを用いて前記スケジューリング指示情報を送信するステップ、又は、
前記スケジューリング装置により、前記プレスケジューリングリソース範囲内のサブフレームを用いて前記スケジューリング指示情報を送信するステップ、又は、
前記スケジューリング装置により、前記プレスケジューリングリソース範囲内の特定データパケットを用いて前記スケジューリング指示情報を送信するステップ、又は、
前記スケジューリング装置により、前記プレスケジューリングリソース範囲内の特定サブフレームの特定ＰＤＣＣＨを用いて前記スケジューリング指示情報を送信するステップ、又は、
前記スケジューリング装置により、前記プレスケジューリングリソース範囲内の特定サブフレームの特定ＰＤＣＣＨを用いてチャネル指示情報を送信し、前記チャネル指示情報により示される物理ダウンリンク共有チャネルＰＤＳＣＨを用いて前記スケジューリング指示情報を送信するステップ、又は、
前記スケジューリング装置により、前記少なくとも１つのスケジューリング期間の前に存在する特定データパケットを用いて前記スケジューリング指示情報を送信するステップ、
を含む、請求項１６に記載の方法。
【請求項１８】
スケジューリング装置により、前記スケジューリング指示情報を生成する前記ステップは、
前記スケジューリング装置により、以下の情報：
前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つに従い、前記スケジューリング指示情報を生成するステップ、を含む、請求項１６に記載の方法。
【請求項１９】
前記方法は、
前記スケジューリング装置により、前記スケジューリング装置にアクセスする被スケジューリング装置に関する情報に従い、リソース範囲割り当て情報を生成するステップであって、前記リソース範囲割り当て情報は、少なくとも１つのプレスケジューリング期間内の前記プレスケジューリングリソース範囲及び前記動的スケジューリングリソース範囲を示すために使用される、ステップと、
前記スケジューリング装置により、前記被スケジューリング装置へ前記リソース範囲割り当て情報を送信するステップと、
を更に含み、
前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つを含む、請求項１６に記載の方法。
【請求項２０】
前記スケジューリング装置により、前記スケジューリング装置にアクセスする被スケジューリング装置に関する情報に従いリソース範囲割り当て情報を生成する前記ステップは、前記スケジューリング装置により、１又は複数の又は全部の被スケジューリング装置についてリソース範囲割り当て情報を別個に生成するステップを含む、請求項１９に記載の方法。
【請求項２１】
リソーススケジューリング機器であって、被スケジューリング装置に適用され、前記機器は、
スケジューリング装置により送信されたスケジューリング指示情報を受信するよう構成される受信ユニットであって、前記スケジューリング指示情報は、プレスケジューリング情報及び動的スケジューリング情報を含む、受信ユニットと、
前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するよう構成される通信ユニットと、
前記動的スケジューリング情報が、前記スケジューリング装置が動的スケジューリングリソース範囲内で前記被スケジューリング装置に無線リソースを割り当てることを示すとき、制御シグナリング検出を前記動的スケジューリングリソース範囲内のリソース上で実行するよう構成される検出ユニットと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、機器。
【請求項２２】
前記通信ユニットは、具体的に、前記無線リソースを得るために、制御シグナリング検出を前記プレスケジューリング情報により示されたスケジューリングリソース上で実行し、前記無線リソース上でデータ受信又は送信を実行するよう構成され、
前記スケジューリングリソースは、前記プレスケジューリングリソース範囲内の時間周波数リソースである、請求項２１に記載の機器。
【請求項２３】
前記通信ユニットは、前記プレスケジューリング情報が、前記スケジューリング装置が前記プレスケジューリングリソース範囲内で前記被スケジューリング装置に無線リソースを割り当てないことを示すとき、データ受信若しくは送信又は制御シグナリング検出を前記プレスケジューリングリソース範囲内で実行することをスキップするよう更に構成され、
前記通信ユニットは、前記動的スケジューリング情報が、前記スケジューリング装置が前記動的スケジューリングリソース範囲内で前記被スケジューリング装置に無線リソースを割り当てないことを示すとき、データ受信若しくは送信又は制御シグナリング検出を前記動的スケジューリングリソース範囲内で実行することをスキップするよう更に構成され、
前記機器は、
前記プレスケジューリング情報が、前記スケジューリング装置が前記プレスケジューリングリソース範囲内で前記被スケジューリング装置に無線リソースを割り当てないことを示し、且つ前記動的スケジューリング情報が、前記スケジューリング装置が前記動的スケジューリングリソース範囲内で前記被スケジューリング装置に無線リソースを割り当てないことを示すとき、スリープモードに入るよう前記被スケジューリング装置を制御するよう構成されるスリープユニット、を更に含む請求項２１に記載の機器。
【請求項２４】
前記受信ユニットは、具体的に、前記少なくとも１つのスケジューリング期間に先行するサブフレームにより伝達される前記スケジューリング指示情報を受信するよう構成される、又は、
前記受信ユニットは、具体的に、前記プレスケジューリングリソース範囲内の特定データパケットにより伝達される前記スケジューリング指示情報を受信するよう構成される、又は、
前記受信ユニットは、具体的に、前記プレスケジューリングリソース範囲内のサブフレームにより伝達される前記スケジューリング指示情報を受信するよう構成される、又は、
前記受信ユニットは、具体的に、前記プレスケジューリングリソース範囲内の特定サブフレームの特定物理ダウンリンク制御チャネルＰＤＣＣＨにより伝達される前記スケジューリング指示情報を受信するよう構成される、又は、
前記受信ユニットは、具体的に、前記プレスケジューリングリソース範囲内の特定サブフレームの特定ＰＤＣＣＨにより伝達されるチャネル指示情報を受信し、前記チャネル指示情報により示される物理ダウンリンク共有チャネルＰＤＳＣＨにより伝達される前記スケジューリング指示情報を受信するよう構成される、又は、
前記受信ユニットは、具体的に、前記少なくとも１つのスケジューリング期間の前に存在する特定データパケットにより伝達される前記スケジューリング指示情報を受信するよう構成される、
請求項２１乃至２３のいずれか一項に記載の機器。
【請求項２５】
前記受信ユニットは、前記スケジューリング装置により送信されたリソース範囲割り当て情報を受信するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記機器は、決定ユニットを更に含み、
前記決定ユニットは、前記リソース範囲割り当て情報に従い、前記少なくとも１つのスケジューリング期間内の前記プレスケジューリングリソース範囲及び前記動的スケジューリングリソース範囲を決定するよう構成される、請求項２１乃至２３のいずれか一項に記載の機器。
【請求項２６】
リソーススケジューリング機器であって、スケジューリング装置に適用され、前記機器は、
スケジューリング指示情報を生成するよう構成される生成ユニットであって、前記スケジューリング指示情報は、プレスケジューリング情報及び動的スケジューリング情報を含む、生成ユニットと、
前記スケジューリング指示情報を被スケジューリング装置へ送信するよう構成される送信ユニットであって、前記プレスケジューリング情報が、前記スケジューリング装置がプレスケジューリングリソース範囲内で前記被スケジューリング装置に無線リソースを割り当てることを示すとき、前記被スケジューリング装置が、データ受信若しくは送信又は制御シグナリング検出を前記プレスケジューリング情報により示される前記無線リソース上で実行し、前記動的スケジューリング情報が、前記スケジューリング装置が動的スケジューリングリソース範囲内で前記被スケジューリング装置に無線リソースを割り当てることを示すとき、前記被スケジューリング装置が、制御シグナリング検出を前記動的スケジューリングリソース範囲内のリソース上で実行するようにする、送信ユニットと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、機器。
【請求項２７】
前記送信ユニットは、具体的に、前記少なくとも１つのスケジューリング期間に先行するサブフレームを用いて前記スケジューリング指示情報を送信するよう構成される、又は、
前記送信ユニットは、具体的に、前記プレスケジューリングリソース範囲内のサブフレームを用いて前記スケジューリング指示情報を送信するよう構成される、又は、
前記送信ユニットは、具体的に、前記プレスケジューリングリソース範囲内の特定データパケットを用いて前記スケジューリング指示情報を送信するよう構成される、又は、
前記送信ユニットは、具体的に、前記プレスケジューリングリソース範囲内の特定サブフレームの特定ＰＤＣＣＨを用いて前記スケジューリング指示情報を送信するよう構成される、又は、
前記送信ユニットは、具体的に、前記プレスケジューリングリソース範囲内の特定サブフレームの特定ＰＤＣＣＨを用いてチャネル指示情報を送信し、前記チャネル指示情報により示される物理ダウンリンク共有チャネルＰＤＳＣＨを用いて前記スケジューリング指示情報を送信するよう構成される、又は、
前記送信ユニットは、具体的に、前記少なくとも１つのスケジューリング期間の前に存在する特定データパケットを用いて前記スケジューリング指示情報を送信するよう構成される、
請求項２６に記載の機器。
【請求項２８】
前記生成ユニットは、具体的に、以下の情報：
前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つに従い、前記スケジューリング指示情報を生成するよう構成される、請求項２６に記載の機器。
【請求項２９】
前記生成ユニットは、前記スケジューリング装置にアクセスする被スケジューリング装置に関する情報に従い、リソース範囲割り当て情報を生成するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記送信ユニットは、前記リソース範囲割り当て情報を前記被スケジューリング装置へ送信するよう更に構成され、
前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービスボリュームの期間、のうちの少なくとも１つを含む、請求項２６に記載の機器。
【請求項３０】
前記生成ユニットは、前記スケジューリング装置にアクセスする被スケジューリング装置に関する前記情報に従い前記リソース範囲割り当て情報を生成するとき、１又は複数の又は全部の被スケジューリング装置についてリソース範囲割り当て情報を別個に生成するよう構成される、請求項２９に記載の機器。
【発明の詳細な説明】
【技術分野】
【０００１】
本発明は、無線通信技術の分野に関し、特に、スケジューリング装置、被スケジューリング装置、並びにリソーススケジューリング方法及び機器に関する。
【背景技術】
【０００２】
無線セルラネットワークでは、スケジューリング装置は、スケジューリングメカニズムを用いて、データ通信を実行するために被スケジューリング装置により使用されるリソースを決定する。
【０００３】
従来のリソーススケジューリングメカニズムでは、スケジューリング装置（例えば、以下では纏めてスケジューリング装置として参照される、基地局、無線アクセスポイント、及び中継ノード）は、各スケジューリング期間に１度、リソーススケジューリング結果を更新し、被スケジューリング装置、例えばユーザ被スケジューリング装置ＵＥ及び移動局ＭＳにスケジューリング結果を通知する。例えば、ロングタームエボリューション（英語：Long  Term  Evolution、略してＬＴＥ）システムでは、スケジューリング装置は基地局であり、被スケジューリング装置はユーザ機器ＵＥである。基地局は、１ｍｓ毎に１回、スケジューリング結果を更新し、基地局は、物理ダウンリンク制御チャネル（英語：Physical  Downlink  Control  Channel、略してＰＤＣＣＨ）を用いてＵＥへ、データを受信又は送信するためにＵＥにより使用される無線リソースを示すために使用されるスケジューリング情報を送信する。各動的スケジューリング期間（通常、１サブフレーム、つまり１ｍｓ）内に、接続状態のＵＥは、無線リソーススケジューリング情報を取得するために、基地局により配信されるＰＤＣＣＨ上でブラインド検出を絶えず実行する。通常、１つの動的スケジューリング期間（１サブフレーム、つまり１ｍｓ）中に、ＵＥは、１つのサブキャリア上で３２回、ブラインド検出を実行する。
【０００４】
本発明を実施する過程で、発明者は、関連技術が少なくとも以下の問題を有することを見出した。
【０００５】
従来のリソーススケジューリングメカニズムでは、ＵＥは、各サブフレーム内でＰＤＣＣＨブラインド検出を実行する必要があり、したがって、電力消費が比較的大きく、被スケジューリング装置のバッテリ寿命が影響を受ける。
【発明の概要】
【０００６】
被スケジューリング装置が各サブフレーム内でＰＤＣＣＨブラインド検出を実行し、したがって、電力消費が比較的大きく、被スケジューリング装置のバッテリ寿命が影響されるという従来技術の問題を解決するために、本願は、スケジューリング装置、被スケジューリング装置、並びにリソーススケジューリング方法及び機器を提供する。
【０００７】
第１の態様によると、本発明は、スケジューリング方法であって、前記方法は、
被スケジューリング装置により、スケジューリング装置により送信されたスケジューリング指示情報を受信するステップであって、前記スケジューリング指示情報は、プレスケジューリング情報及び動的スケジューリング情報を含む、ステップと、
前記被スケジューリング装置により、前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するステップと、
前記動的スケジューリング情報が、前記スケジューリング装置が動的スケジューリングリソース範囲内で前記被スケジューリング装置に無線リソースを割り当てることを示すとき、前記被スケジューリング装置により、制御シグナリング検出を前記動的スケジューリングリソース範囲内のリソース上で実行するステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の全部又は一部である、スケジューリング方法を提供する。つまり、被スケジューリング装置は、制御シグナリング検出を全てのリソース上で実行する必要がなく、したがって、被スケジューリング装置の電力消費が削減され、被スケジューリング装置のバッテリ寿命が増大する。
【０００８】
第１の態様の第１の可能な実装では、前記方法は、前記プレスケジューリング情報が、前記スケジューリング装置は前記プレスケジューリングリソース範囲内で前記被スケジューリング装置に無線リソースを割り当てないことを示すとき、前記被スケジューリング装置により、前記プレスケジューリングリソース範囲内でデータ受信若しくは送信又は制御シグナリング検出を実行することをスキップするステップと、前記動的スケジューリング情報が、前記スケジューリング装置は前記動的スケジューリングリソース範囲内で前記被スケジューリング装置に無線リソースを割り当てないことを示すとき、前記被スケジューリング装置により、前記動的スケジューリングリソース範囲内でデータ受信若しくは送信又は制御シグナリング検出を実行することをスキップするステップと、を更に含む。前記プレスケジューリング情報により示される前記無線リソースは、前記プレスケジューリングリソース範囲内の時間周波数リソースであり、前記プレスケジューリングリソース範囲は、前記少なくとも１つのスケジューリング期間内の前記利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲のうちの全部又は一部である。つまり、プレスケジューリング情報又は動的スケジューリング情報が、スケジューリング装置はプレスケジューリングリソース範囲又は動的スケジューリングリソース範囲内で被スケジューリング装置に無線リソースを割り当てないことを示すとき、被スケジューリング装置は、対応するリソース範囲内のいずれのリソース上でも制御シグナリング検出を実行しない。したがって、被スケジューリング装置の電力消費が更に低減され、被スケジューリング装置のバッテリ寿命が増大される。
【０００９】
第１の態様の第２の可能な実装では、前記方法は、前記プレスケジューリング情報が、前記スケジューリング装置は前記プレスケジューリングリソース範囲内で前記被スケジューリング装置に無線リソースを割り当てないことを示し、且つ、前記動的スケジューリング情報が、前記スケジューリング装置は前記動的スケジューリングリソース範囲内で前記被スケジューリング装置に無線リソースを割り当てないことを示すとき、前記被スケジューリング装置によりスリープモードに入るステップを更に含む。つまり、被スケジューリング装置がプレスケジューリングリソース範囲又は動的スケジューリングリソース範囲のいずれにおいてもデータ送信を実行する必要のないとき、被スケジューリング装置は、直接スリープモードに入ることができる。したがって、被スケジューリング装置の電力消費が更に低減される。
【００１０】
第２の態様によると、本発明は、スケジューリング方法であって、前記方法は、スケジューリング装置により、スケジューリング指示情報を生成するステップであって、前記スケジューリング指示情報は、プレスケジューリング情報を含む、ステップと、前記被スケジューリング装置により、前記プレスケジューリング情報を被スケジューリング装置へ送信するステップであって、前記プレスケジューリング情報が、前記スケジューリング装置がプレスケジューリングリソース範囲内で前記被スケジューリング装置に無線リソースを割り当てることを示すとき、前記被スケジューリング装置がデータ受信若しくは送信又は制御シグナリング検出を前記プレスケジューリング情報により示される前記無線リソース上で実行するようにし、前記動的情報が、前記スケジューリング装置は動的スケジューリングリソース範囲内で前記被スケジューリング装置に無線リソースを割り当てることを示すとき、前記被スケジューリング装置が、データ受信若しくは送信又は制御シグナリング検出を前記動的スケジューリングリソース範囲内のリソース上で実行するようにする、ステップと、を含み、前記プレスケジューリング情報により示される前記無線リソースは、前記プレスケジューリングリソース範囲内の時間周波数リソースであり、前記プレスケジューリングリソース範囲は、少なくとも１つのスケジューリング期間内の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、スケジューリング方法を提供する。
【００１１】
第３の態様によると、本発明は、被スケジューリング装置であって、前記被スケジューリング装置は、メモリと、通信機と、前記メモリ及び前記通信機に接続されたプロセッサと、を含む被スケジューリング装置を更に提供する。前記メモリは、命令を格納するよう構成され、前記プロセッサは、前記メモリに格納された前記命令を実行するよう構成され、前記メモリに格納された前記命令を実行すると、前記プロセッサは、第１の態様又は第１の態様の種々の可能な実装において提供されたリソーススケジューリング方法を実施して良い。
【００１２】
第４の態様によると、本発明は、スケジューリング装置であって、前記スケジューリング装置は、メモリと、通信機と、前記メモリ及び前記通信機に接続されたプロセッサと、を含むスケジューリング装置を更に提供する。前記メモリは、命令を格納するよう構成され、前記プロセッサは、前記メモリに格納された前記命令を実行するよう構成され、前記メモリに格納された前記命令を実行すると、前記プロセッサは、第２の態様又は第２の態様の種々の可能な実装において提供されたリソーススケジューリング方法を実施して良い。
【００１３】
第５の態様によると、本願は、被スケジューリング装置に適用されるリソーススケジューリング機器であって、前記機器は幾つかのユニットを含み、前記幾つかのユニットは、第１の態様又は第１の態様の種々の可能な実装において提供されたリソーススケジューリング方法を実行するよう構成される、機器を提供する。
【００１４】
第６の態様によると、本願は、スケジューリング装置に適用されるリソーススケジューリング機器であって、前記機器は幾つかのユニットを含み、前記幾つかのユニットは、第２の態様又は第２の態様の種々の可能な実装において提供されたリソーススケジューリング方法を実行するよう構成される、機器を提供する。
【００１５】
追加で、前記被スケジューリング装置により、前記プレスケジューリング情報が、前記スケジューリング装置はプレスケジューリングリソース範囲内で前記被スケジューリング装置に無線リソースを割り当てることを示すとき、前記プレスケジューリング情報により示される前記無線リソース上で、データ受信若しくは送信又は制御シグナリング検出を実行する前記ステップは、前記被スケジューリング装置により、前記プレスケジューリング情報により示される前記無線リソース上でデータ受信又は送信を実行するステップを含む。
【００１６】
前記被スケジューリング装置により、前記プレスケジューリング情報が、前記スケジューリング装置はプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行する前記ステップは、前記被スケジューリング装置により、前記無線リソースを得るために、制御シグナリング検出を前記プレスケジューリング情報により示されるスケジューリングリソース上で実行するステップと、前記被スケジューリング装置により、データ受信又は送信を前記無線リソース上で実行するステップと、を含み、前記スケジューリングリソースは、前記プレスケジューリングリソース範囲内の時間周波数リソースである。
【００１７】
前記スケジューリング装置により、前記スケジューリング指示情報を被スケジューリング装置へ送信する前記ステップは、前記被スケジューリング装置により、前記少なくとも１つのスケジューリング期間に先行するサブフレームを用いて前記スケジューリング指示情報を送信し、並びに、前記被スケジューリング装置により、前記少なくとも１つのスケジューリング期間に先行する前記サブフレームにより伝達される前記スケジューリング指示情報を受信するステップ、又は、前記スケジューリング装置により、前記プレスケジューリングリソース範囲内のサブフレームを用いて前記スケジューリング指示情報を送信し、並びに、前記被スケジューリング装置により、前記プレスケジューリングリソース範囲内の前記スケジューリング指示情報を受信するステップ、又は、前記スケジューリング装置により、特定データパケットを用いて前記スケジューリング指示情報を送信し、並びに、前記被スケジューリング装置により、前記特定データパケットにより伝達される前記スケジューリング指示情報を受信するステップ、又は、前記スケジューリング装置により、前記プレスケジューリングリソース範囲内の特定サブフレームの特定ＰＤＣＣＨを用いて前記スケジューリング指示情報を送信し、並びに、前記被スケジューリング装置により、前記プレスケジューリングリソース範囲内の前記特定サブフレームの前記特定物理ダウンリンク制御チャネルＰＤＣＣＨにより伝達される前記スケジューリング指示情報を受信するステップ、又は、前記スケジューリング装置により、前記プレスケジューリングリソース範囲内の前記特定サブフレームの前記特定ＰＤＣＣＨを用いてチャネル指示情報を送信し、前記チャネル指示情報により示される物理ダウンリンク共有チャネル（英語：Physical  Downlink  Shared  Channel、略してＰＤＳＣＨ）を用いて前記スケジューリング指示情報を送信し、前記被スケジューリング装置により、前記プレスケジューリングリソース範囲内の前記特定サブフレームの前記特定ＰＤＣＣＨにより伝達される前記チャネル指示情報を受信し、前記チャネル指示情報により示される前記物理ダウンリンク共有チャネルＰＤＳＣＨにより伝達される前記スケジューリング指示情報を受信するステップ、を含む。
【００１８】
スケジューリング装置により、スケジューリング指示情報を生成する前記ステップは、以下の情報：前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置のサービスボリュームの期間、のうちの少なくとも１つに従い、前記スケジューリング指示情報を生成するステップを含む。
【００１９】
本発明は、前記スケジューリング装置により、前記スケジューリング装置にアクセスする被スケジューリング装置に関する情報に従い、リソース範囲割り当て情報を生成するステップであって、前記リソース範囲割り当て情報は、少なくとも１つのプレスケジューリング期間内の前記プレスケジューリングリソース範囲及び前記動的スケジューリングリソース範囲を示すために使用される、ステップと、前記スケジューリング装置により、前記被スケジューリング装置へ前記リソース範囲割り当て情報を送信するステップと、前記被スケジューリング装置により、前記スケジューリング装置により送信された前記リソース範囲割り当て情報を受信し、前記リソース範囲割り当て情報に従い、前記少なくとも１つのスケジューリング期間内の前記プレスケジューリングリソース範囲及び前記動的スケジューリングリソース範囲を決定するステップと、を更に含み、前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つを含む。つまり、スケジューリング装置は、スケジューリング装置にアクセスする被スケジューリング装置の数、種類、及びサービスのような関連情報に従い、各スケジューリング装置について、通信又は制御シグナリング検出のために使用されるリソースを指定し、被スケジューリング装置毎にリソース範囲を分割し、各被スケジューリング装置のリソース使用効率を最適化し及び各被スケジューリング装置の全体のスケジューリング効果を向上するために、各被スケジューリング装置の実際の使用を包括的に考慮する。
【００２０】
本発明におけるサブフレームは、被スケジューリング装置にとってリソース割り当て更新を実行するための最小時間であり、被スケジューリング装置の最短動的スケジューリング期間である。ＬＴＥの一例では、１サブフレームは１ミリ秒である。本発明では、最小動的スケジューリング単位は１サブフレームに限定されず、より短い時間、例えば１直交周波数分割多重（英語：Orthogonal  Frequency  Division  Multiplexing、略してＯＦＤＭ）シンボル又は１タイムスロットであって良く、又はより長い時間、例えば複数のサブフレーム又は１無線フレーム又は複数の無線フレームであって良い。
【図面の簡単な説明】
【００２１】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００２２】
【図１】本発明におけるネットワーク環境のアーキテクチャ図である。
【００２３】
【図２Ａ−１】本発明の実施形態によるリソーススケジューリング方法のフローチャートである。
【図２Ａ−２】本発明の実施形態によるリソーススケジューリング方法のフローチャートである。
【００２４】
【図２Ｂ】図２Ａ−１及び図２Ａ−２に示す実施形態による時間ドメインに従いリソース領域分割を実行する概略図である。
【００２５】
【図２Ｃ】図２Ａ−１及び図２Ａ−２に示す実施形態による周波数ドメインに従いリソース領域分割を実行する概略図である。
【００２６】
【図２Ｄ】図２Ａ−１及び図２Ａ−２に示す実施形態による時間ドメイン及び周波数ドメインに従いリソース領域分割を実行する概略図である。
【００２７】
【図２Ｅ】図２Ａ−１及び図２Ａ−２に示す実施形態によるスケジューリング指示情報を伝達する概略図である。
【００２８】
【図２Ｆ】図２Ａ−１及び図２Ａ−２に示す実施形態によるスケジューリング指示情報を伝達する別の概略図である。
【００２９】
【図２Ｇ】図２Ａ−１及び図２Ａ−２に示す実施形態によるスケジューリング指示情報を伝達する更に別の概略図である。
【００３０】
【図２Ｈ】図２Ａ−１及び図２Ａ−２に示す実施形態によるスケジューリング指示情報を伝達する更に別の概略図である。
【００３１】
【図２Ｉ】図２Ａ−１及び図２Ａ−２に示す実施形態によるスケジューリング指示情報を伝達する更に別の概略図である。
【００３２】
【図２Ｊ】図２Ａ−１及び図２Ａ−２に示す実施形態によるスケジューリング指示情報を伝達する更なる概略図である。
【００３３】
【図３】本発明の一実施形態によるリソーススケジューリング機器の構造図である。
【００３４】
【図４】本発明の一実施形態によるリソーススケジューリング機器の構造図である。
【００３５】
【図５】本発明の一実施形態によるスケジューリング装置のブロック図である。
【発明を実施するための形態】
【００３６】
本発明の目的、技術的解決策、及び利点を一層明らかにするために、以下に、本発明の実施形態を、添付の図面を参照して以下に詳述する。
【００３７】
図１を参照すると、図１は本発明におけるネットワーク環境のアーキテクチャ図である。ネットワーク環境は以下のネットワーク装置：スケジューリング装置１１０及び少なくとも１つの被スケジューリング装置１２０を含む。
【００３８】
少なくとも１つの被スケジューリング装置１２０は、スケジューリング装置に無線方式でアクセスし、スケジューリング装置１１０は、各被スケジューリング装置１２０のために無線リソースをスケジューリングして、各被スケジューリング装置１２０がスケジューリング装置１１０によりスケジューリングされたリソース上でデータを受信又は送信できるようにする。
【００３９】
スケジューリング装置１１０及び被スケジューリング装置１２０は、異なる実際の適用シナリオに従い、異なるネットワーク装置として実装されて良い。例えば、セルラ通信ネットワークでは、スケジューリング装置１１０は基地局であって良く、被スケジューリング装置１２０はユーザ端末、例えば携帯電話機であって良く、無線ローカルエリアネットワークでは、スケジューリング装置１１０は無線アクセスポイント（英語：AccessPoint、略してＡＰ）、例えば無線ルータであって良く、被スケジューリング装置１２０は無線アクセスポイントに接続された無線端末、例えばスマートフォン、ノートブック、又はタブレットコンピュータであって良く、Ｚｉｇｂｅｅネットワークでは、スケジューリング装置１１０はコーディネータであって良く、被スケジューリング装置１２０はＺｉｇｂｅｅ端末であって良く、或いは、無線センサネットワークでは、スケジューリング装置１１０はクラスタヘッドノードであって良く、被スケジューリング装置１２０は非クラスタヘッドノードであって良い。
【００４０】
従来のスケジューリングメカニズムにおける、処理リソース及び電力リソースの消費が比較的大きい、及び被スケジューリング装置のバッテリ寿命が影響を受けるという問題を解決するために、本発明において示されるソリューションでは、スケジューリング装置１１０は、スケジューリング期間を２つの部分：プレスケジューリングリソース範囲及び動的スケジューリングリソース範囲に分けるために、被スケジューリング装置１２０と交渉する。スケジューリング装置１１０が被スケジューリング装置１２０とデータ通信を実行するとき、バーストサービスでは、被スケジューリング装置１２０は、動的スケジューリングリソース範囲内の各サブフレーム内で制御シグナリング検出を実行し、検出した無線リソース上でバーストサービスのデータを受信し又は送信し、周期的サービスでは、スケジューリング装置１１０は、プレスケジューリングリソース範囲内の幾つかのリソースをスケジューリングリソースとして割り当て、被スケジューリング装置１２０は、スケジューリングリソース上で制御シグナリング検出を実行して通信のための無線リソースを取得し、取得した無線リソース上で周期的サービスのデータを受信し又は送信するが、被スケジューリング装置１２０は、プレスケジューリングリソース範囲内のスケジューリングリソースと異なる他のリソースのいずれに対しても制御シグナリング検出を実行しない。したがって、被スケジューリング装置１２０により他のリソース上で制御シグナリング検出を実行するための電力消費が回避される。
【００４１】
図２Ａ−１及び図２Ａ−２を参照すると、図２Ａ−１及び図２Ａ−２は、本発明の実施形態によるリソーススケジューリング方法のフローチャートである。方法は、図１に示す実施環境に適用されて良い。リソーススケジューリング方法は、以下のステップを含んで良い。
【００４２】
ステップ２０１。スケジューリング装置は、リソース範囲割り当て情報を生成する。
【００４３】
リソース範囲割り当て情報は、少なくとも１つのスケジューリング期間内のプレスケジューリングリソース範囲及び動的スケジューリングリソース範囲を示すために使用される。
【００４４】
スケジューリング装置は、スケジューリング装置にアクセスする被スケジューリング装置に関する情報に従い、リソース範囲割り当て情報を生成して良い。
【００４５】
スケジューリング装置にアクセスする被スケジューリング装置に関する情報は、以下の情報：被スケジューリング装置の数、被スケジューリング装置の種類、被スケジューリング装置のサービス種類、被スケジューリング装置の種々のサービス送信期間、又は被スケジューリング装置のサービスボリュームの種々のサイズ、のうちの少なくとも１つを含む。
【００４６】
プレスケジューリングリソース範囲は、少なくとも１つのスケジューリング期間内の利用可能時間周波数リソース範囲のうちの全部又は一部である。動的スケジューリングリソース範囲は、少なくとも１つのスケジューリング期間内の利用可能時間周波数リソース範囲に含まれる、プレスケジューリングリソース範囲以外のリソース範囲の一部である。任意で、１つのスケジューリング期間は、少なくとも１つのサブフレームを含む。
【００４７】
ステップ２０２。スケジューリング装置は、被スケジューリング装置へリソース範囲割り当て情報を送信し、被スケジューリング装置は、リソース範囲割り当て情報を受信する。
【００４８】
ステップ２０３。被スケジューリング装置は、リソース範囲割り当て情報に従い、各スケジューリング期間内のプレスケジューリングリソース範囲及び動的スケジューリングリソース範囲を決定する。
【００４９】
ステップ２０１〜ステップ２０３は、スケジューリング装置及び被スケジューリング装置が各スケジューリング期間内のプレスケジューリングリソース範囲及び動的スケジューリングリソース範囲の分割について交渉するステップである。
【００５０】
本発明の本実施形態で示される実装では、各スケジューリング期間の時間長は固定されなくて良く、各スケジューリング期間内のプレスケジューリングリソース範囲及び動的スケジューリングリソース範囲も固定されなくて良い。この場合、スケジューリング装置は、スケジューリング装置にアクセスする被スケジューリング装置の数、種類、サービス種類、サービスボリュームのサイズ、及びサービスボリュームの期間に従い、１又は複数のスケジューリング期間の時間長を決定し、１又は複数のスケジューリング期間の各々の中のプレスケジューリングリソース範囲及び動的スケジューリングリソース範囲を決定して良い。例えば、スケジューリング装置にアクセスする被スケジューリング装置の数が小さいほど、スケジューリングがより柔軟になるように、各スケジューリング期間の時間長は短く設定されて良い。あるいは、被スケジューリング装置の数が大きいほど、交渉回数を削減するため及び通信リソースを削減するために、各スケジューリング期間の時間長は長く設定されて良い。代替で、スケジューリング装置にアクセスする被スケジューリング装置により使用されるサービスの中で、周期的サービスのサービストラフィックが大きく、且つバーストサービスのサービストラフィックが小さいとき、各スケジューリング期間内のプレスケジューリングリソース範囲は大きく設定されて良く、動的スケジューリングリソース範囲は小さく設定されて良い。反対に、スケジューリング装置にアクセスする被スケジューリング装置により使用されるサービスの中で、周期的サービスのサービストラフィックが小さく、且つバーストサービスのサービストラフィックが大きいとき、各スケジューリング期間内のプレスケジューリングリソース範囲は大きく設定されて良く、動的スケジューリングリソース範囲は小さく設定されて良い。スケジューリング装置は、全ての被スケジューリング期間のサービス状態を包括的に考慮し、全ての被スケジューリング装置に対して、スケジューリング期間の同じ時間長プレスケジューリングリソース範囲及び動的スケジューリングリソース範囲の同じ分割を設定して良い。追加で、スケジューリング装置は、１つの被スケジューリング装置又は複数の被スケジューリング装置の各々又は全ての被スケジューリング装置について、被スケジューリング装置のサービス使用を参照して、スケジューリング期間の時間長、並びに各スケジューリング期間内のプレスケジューリングリソース範囲及び動的スケジューリングリソース範囲の分割を設定して良い。追加で、スケジューリング装置は、１つの被スケジューリング装置又は複数の被スケジューリング装置の各々又は全ての被スケジューリング装置について、スケジューリング期間の時間長、並びに各スケジューリング期間内のプレスケジューリングリソース範囲及び動的スケジューリングリソース範囲の分割を設定する。これは、被スケジューリング装置のサービス特性に更に良好に適合し、より高い柔軟性を有し、及びより良好な電力節約効果を達成できる。
【００５１】
追加で、スケジューリング装置及び被スケジューリング装置が、各スケジューリング期間内のプレスケジューリングリソース範囲及び動的スケジューリングリソース範囲について交渉するとき、各スケジューリング期間内のプレスケジューリングリソース範囲及び動的スケジューリングリソース範囲は、時間ドメインだけに従う分割により得られて良く、又は周波数ドメインだけに従う分割により得られて良く、又は時間ドメイン及び周波数ドメインの両方に従う分割により得られて良い。例は以下の通りである。
【００５２】
図２Ｂを参照すると、図２Ｂは、本発明の一実施形態による時間ドメインに従うリソース領域分割を実行する概略図である。スケジューリング期間の間、時間期間はｔ１〜ｔ２であり、周波数範囲はｆ１〜ｆ２であり、ｔ３はｔ１とｔ２の間の時であり、スケジューリング期間内の利用可能時間周波数リソース領域２１全体は、時間期間ｔ１〜ｔ２の中の周波数範囲ｆ１〜ｆ２の中の全てのリソースを含む。リソース領域２１ａ（時間期間ｔ１〜ｔ３の中の周波数範囲ｆ１〜ｆ２の中のリソース）は、プレスケジューリングリソース範囲であり、リソース領域２１ｂ（時間期間ｔ３〜ｔ２の中の周波数範囲ｆ１〜ｆ２の中のリソース）は、動的スケジューリングリソース範囲である。
【００５３】
図２Ｃを参照すると、図２Ｃは、本発明の一実施形態による周波数ドメインに従うリソース領域分割を実行する概略図である。スケジューリング期間の間、時間期間はｔ１〜ｔ２であり、周波数範囲はｆ１〜ｆ２であり、ｆ３はｆ１とｆ２の間の周波数であり、スケジューリング期間内の利用可能時間周波数リソース領域２２全体は、時間期間ｔ１〜ｔ２の中の周波数範囲ｆ１〜ｆ２の中の全てのリソースを含む。リソース領域２２ａ（時間期間ｔ１〜ｔ２の中の周波数範囲ｆ１〜ｆ３の中のリソース）は、プレスケジューリングリソース範囲であり、リソース領域２２ｂ（時間期間ｔ１〜ｔ２の中の周波数範囲ｆ３〜ｆ２の中のリソース）は、動的スケジューリングリソース範囲である。
【００５４】
図２Ｄを参照すると、図２Ｄは、本発明の一実施形態による時間ドメインに従うリソース領域分割を実行する概略図である。スケジューリング期間の間、時間期間はｔ１〜ｔ２であり、周波数範囲はｆ１〜ｆ２であり、ｔ３はｔ１とｔ２の間の時であり、ｆ３はｆ１とｆ２との間の周波数であり、スケジューリング期間内の利用可能時間周波数リソース領域２３全体は、時間期間ｔ１〜ｔ２の中の周波数範囲ｆ１〜ｆ２の中の全てのリソースを含む。リソース領域２３ａ（時間期間ｔ１〜ｔ３の中の周波数範囲ｆ１〜ｆ３の中のリソース）は、プレスケジューリングリソース範囲であり、リソース領域２３ｂ（時間期間ｔ１〜ｔ３の中の周波数範囲ｆ３〜ｆ２の中のリソース）は、動的スケジューリングリソース範囲である。
【００５５】
代替で、別の実装では、各スケジューリング期間の時間長は固定されて良く、各スケジューリング期間内のプレスケジューリングリソース範囲及び動的スケジューリングリソース範囲も固定されて良い。この場合、スケジューリング装置及び被スケジューリング装置は、全てのスケジューリング期間についてリソース範囲割り当てを決定するために１度だけ交渉すれば良い。代替で、この場合、被スケジューリング装置は、スケジューリング装置と交渉せずとも、リソース範囲割り当てをプリセットして良い。
【００５６】
任意で、スケジューリング装置は、被スケジューリング装置のサービス使用に従い、被スケジューリング装置のリソース範囲割り当て情報を生成して良い。
【００５７】
ステップ２０４。スケジューリング装置は、スケジューリング指示情報を生成する。ここで、スケジューリング指示情報は、プレスケジューリング情報及び動的スケジューリング情報を含む。
【００５８】
プレスケジューリング情報は、スケジューリング装置が、少なくとも１つのスケジューリング期間内でプレスケジューリングリソース範囲内の無線リソースを被スケジューリング装置に割り当てるか否かを示して良く、プレスケジューリング情報が、スケジューリング装置はプレスケジューリングリソース範囲内の無線リソースを被スケジューリング装置に割り当てると示し得るとき、プレスケジューリング情報は、プレスケジューリングリソース範囲内のスケジューリングリソースを更に示して良く、又は、プレスケジューリングリソース範囲内にあり且つ被スケジューリング装置に割り当てられる無線リソースを示して良い。動的スケジューリング情報は、スケジューリング装置が、少なくとも１つのスケジューリング期間内の動的スケジューリングリソース範囲内の無線リソースを被スケジューリング装置に割り当てるか否かを示して良い。
【００５９】
スケジューリング装置は、具体的に、以下の情報：スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービスボリュームの期間、のうちの少なくとも１つに従い、スケジューリング指示情報を生成して良い。サービス種類は、周期的サービス及びバーストサービスを含んで良い。
【００６０】
例えば、現在の被スケジューリング装置が周期的サービスを有する場合、生成されるプレスケジューリング情報は、スケジューリング装置が、プレスケジューリングリソース範囲内で被スケジューリング装置に無線リソースを割り当てることを示して良く、プレスケジューリング情報は、プレスケジューリングリソース範囲内のどのリソースがデータを受信し又は送信するために被スケジューリング装置に割り当てられるべきリソースであるかを更に示し、又は、プレスケジューリング情報は、プレスケジューリングリソース範囲内のどのリソースがリソーススケジューリングのために使用される制御シグナリングを伝達するリソースであるかを更に示す。プレスケジューリング情報が、プレスケジューリングリソース範囲内のどのリソースがデータを受信し又は送信するために被スケジューリング装置に割り当てられるべきリソースであるか、又は制御シグナリングを伝達するリソースであるかを示すとき、被スケジューリング装置の数、種類、サービス種類、サービスボリュームのサイズ、及びサービスボリュームの期間のような情報は、プレスケジューリング情報を生成するために包括的に考慮されて良い。現在の被スケジューリング装置が周期的サービスを有しない場合、生成されるプレスケジューリング情報は、スケジューリング装置が、プレスケジューリングリソース範囲内で被スケジューリング装置に無線リソースを割り当てないことを示して良い。現在の被スケジューリング装置がバーストサービスを有する場合、生成される動的スケジューリング情報は、スケジューリング装置が、動的スケジューリングリソース範囲内で被スケジューリング装置に無線リソースを割り当てることを示して良い。現在の被スケジューリング装置がバーストサービスを有しない場合、生成される動的スケジューリング情報は、スケジューリング装置が、動的スケジューリングリソース範囲内で被スケジューリング装置に無線リソースを割り当てないことを示して良い。
【００６１】
具体的に、ＬＴＥが一例として使用されて良く、プレスケジューリング情報フォーマットは、
被スケジューリング装置の識別子、例えばスケジューリング装置により被スケジューリング装置に割り当てられるセル無線ネットワーク一時識別子（英語：Cell  Radio  Network  Temporary  Identifier、略してＣ−ＲＮＴＩ）、又は被スケジューリング装置の装置識別子、例えば国際移動電話加入者識別番号（英語：International  Mobile  Subscriber  Identification  Number、略してＩＭＳＩ）、等、
被スケジューリング装置が無線信号を受信する時間及び／又は周波数、例えば被スケジューリング装置がプレスケジューリングリソース範囲内で無線信号を受信するサブフレーム、被スケジューリング装置がプレスケジューリングリソース範囲内で無線信号を受信するサブキャリア、及び被スケジューリング装置がプレスケジューリングリソース範囲内で無線信号を受信する時間及び周波数、
被スケジューリング装置が無線信号を送信する時間及び／又は周波数、例えば被スケジューリング装置がプレスケジューリングリソース範囲内で無線信号を送信するサブフレーム、被スケジューリング装置がプレスケジューリングリソース範囲内で無線信号を送信するサブキャリア、及び被スケジューリング装置がプレスケジューリングリソース範囲内で無線信号を送信する時間及び周波数、
被スケジューリング装置が制御シグナリングを検出する時間及び／又は周波数、例えば被スケジューリング装置がプレスケジューリングリソース範囲内で制御シグナリングを検出するサブフレーム、被スケジューリング装置がプレスケジューリングリソース範囲内で制御シグナリングを検出するサブキャリア、及び被スケジューリング装置がプレスケジューリングリソース範囲内で制御シグナリングを検出する時間及び周波数、を含む。
【００６２】
さらに、プレスケジューリング情報は、被スケジューリング装置が無線信号を送信する及び／又は受信するときに使用される変調方式及び符号化方式のような情報を含んで良い。
【００６３】
動的スケジューリング情報は、スケジューリング装置が、動的スケジューリングリソース範囲内の無線リソースを被スケジューリング装置に割り当てるか否かを示す情報を含んで良い。
【００６４】
前述のステップでは、スケジューリング装置は、スケジューリング装置にアクセスする被スケジューリング装置の数、種類、及びサービスのような関連情報に従い、各スケジューリング装置について、通信又は制御シグナリング検出のために使用されるリソースを指定し、被スケジューリング装置毎にリソース範囲を分割し、各被スケジューリング装置のリソース使用効率を最適化し及び各被スケジューリング装置の全体のスケジューリング効果を向上するために、各被スケジューリング装置の実際の使用を包括的に考慮する。
【００６５】
ステップ２０５。スケジューリング装置は、被スケジューリング装置へスケジューリング指示情報を送信し、被スケジューリング装置は、スケジューリング指示情報を受信する。
【００６６】
スケジューリング装置は、以下の方法で、被スケジューリング装置へスケジューリング指示情報を送信して良い。
【００６７】
スケジューリング装置は、少なくとも１つのスケジューリング期間に先行するサブフレームを用いて、スケジューリング指示情報を送信し、被スケジューリング装置は、少なくとも１つのスケジューリング期間に先行するサブフレームにより伝達されるスケジューリング指示情報を受信する。スケジューリング指示情報を伝達するサブフレームは、ビーコンフレームとして参照されても良い。
【００６８】
図２Ｅを参照すると、図２Ｅは、スケジューリング指示情報を伝達する概略図である。スケジューリング期間は２００ｍｓであり、最初の１００ｍｓ内の全ての利用可能周波数のリソース範囲は、プレスケジューリングリソース範囲２４ａであり、後の１００ｍｓ内の全ての利用可能周波数のリソース範囲は動的スケジューリングリソース範囲２４ｂである。スケジューリング装置は、プレスケジューリングリソース範囲２４ａに先行するサブフレーム２４ｃ内でスケジューリング指示情報を送信し、相応して、被スケジューリング装置も、サブフレーム２４ｃ内のスケジューリング指示情報を受信する。
【００６９】
（２）スケジューリング装置は、プレスケジューリングリソース範囲内のサブフレームを用いて、スケジューリング指示情報を送信し、被スケジューリング装置は、プレスケジューリングリソース範囲内のサブフレームにより伝達されるスケジューリング指示情報を受信する。スケジューリング指示情報を伝達するサブフレームは、ビーコンフレームとして参照されても良い。
【００７０】
図２Ｆを参照すると、図２Ｆは、スケジューリング指示情報を伝達する別の概略図である。スケジューリング期間は２００ｍｓであり、最初の１００ｍｓ内の全ての利用可能周波数のリソース範囲は、プレスケジューリングリソース範囲２５ａであり、後の１００ｍｓ内の全ての利用可能周波数のリソース範囲は動的スケジューリングリソース範囲２５ｂである。スケジューリング装置は、プレスケジューリングリソース範囲２５ａの開始するビーコンフレーム２５ｃ内でスケジューリング指示情報を送信し、相応して、被スケジューリング装置も、ビーコンフレーム２５ｃ内のスケジューリング指示情報を受信する。
【００７１】
（３）スケジューリング装置は、プレスケジューリングリソース範囲内の特定データパケットを用いて、スケジューリング指示情報を送信し、被スケジューリング装置は、プレスケジューリングリソース範囲内の特定データパケットにより伝達されるスケジューリング指示情報を受信する。
【００７２】
図２Ｇを参照すると、図２Ｇは、スケジューリング指示情報を伝達する更に別の概略図である。スケジューリング期間は２００ｍｓであり、最初の１００ｍｓ内の全ての利用可能周波数のリソース範囲は、プレスケジューリングリソース範囲２６ａであり、後の１００ｍｓ内の全ての利用可能周波数のリソース範囲は動的スケジューリングリソース範囲２６ｂである。スケジューリング装置は、プレスケジューリングリソース範囲２６ａの開始するデータパケット２６ｃでスケジューリング指示情報を送信し、相応して、被スケジューリング装置も、データパケット２６ｃでスケジューリング指示情報を受信する。プレスケジューリング情報を伝達するデータパケットは、ブロードキャストデータパケット、マルチキャストデータパケット、又は被スケジューリング装置に専用のデータパケットであって良い。
【００７３】
（４）スケジューリング装置は、プレスケジューリングリソース範囲内の特定サブフレームの特定ＰＤＣＣＨを用いて、スケジューリング指示情報を送信し、被スケジューリング装置は、プレスケジューリングリソース範囲内の特定サブフレームの特定物理ダウンリンク制御チャネルＰＤＣＣＨにより伝達されるスケジューリング指示情報を受信する。
【００７４】
図２Ｈを参照すると、図２Ｈは、スケジューリング指示情報を伝達する更に別の概略図である。スケジューリング期間は１０ｍｓであり、最初の５ｍｓ内の全ての利用可能周波数のリソース範囲は、プレスケジューリングリソース範囲２７ａであり、後の５ｍｓ内の全ての利用可能周波数のリソース範囲は動的スケジューリングリソース範囲２７ｂである。スケジューリング装置は、プレスケジューリングリソース範囲２７ａの開始するサブフレームのＰＤＣＣＨ（図２Ｈに示される２７ｃ）上でスケジューリング指示情報を送信し、相応して、被スケジューリング装置も、ＰＤＣＣＨ上でスケジューリング指示情報を受信する。
【００７５】
（５）スケジューリング装置は、プレスケジューリングリソース範囲内の特定サブフレームの特定ＰＤＣＣＨを用いてチャネル指示情報を送信し、チャネル指示情報により示されるＰＤＳＣＨを用いてスケジューリング指示情報を送信し、被スケジューリング装置は、プレスケジューリングリソース範囲内の特定サブフレームの特定ＰＤＣＣＨにより伝達されるチャネル指示情報を受信し、チャネル指示情報により示される物理ダウンリンク共有チャネルＰＤＳＣＨにより伝達されるスケジューリング指示情報を受信する。
【００７６】
図２Ｉを参照すると、図２Ｉは、スケジューリング指示情報を伝達する更に別の概略図である。スケジューリング期間は１０ｍｓであり、最初の５ｍｓ内の全ての利用可能周波数のリソース範囲は、プレスケジューリングリソース範囲２８ａであり、後の５ｍｓ内の全ての利用可能周波数のリソース範囲は動的スケジューリングリソース範囲２８ｂである。スケジューリング装置は、プレスケジューリングリソース範囲２８ａの開始するサブフレームのＰＤＣＣＨ（図２Ｈに示される２８ｃ）上でチャネル指示情報を送信し、チャネル指示情報は、後のＰＤＳＣＨ（図２Ｈに示す２８ｄ）を示す。相応して、被スケジューリング装置も、ＰＤＳＣＨ上でスケジューリング指示情報を受信する。
【００７７】
（６）スケジューリング装置は、少なくとも１つのスケジューリング期間の前に存在する特定データパケットを用いて、スケジューリング指示情報を送信し、被スケジューリング装置は、少なくとも１つのスケジューリング期間の前に存在する特定データパケットにより伝達されるスケジューリング指示情報を受信する。
【００７８】
図２Ｊを参照すると、図２Ｊは、スケジューリング指示情報を伝達する更なる概略図である。スケジューリング期間は２００ｍｓであり、最初の１００ｍｓ内の全ての利用可能周波数のリソース範囲は、プレスケジューリングリソース範囲２９ａであり、後の１００ｍｓ内の全ての利用可能周波数のリソース範囲は動的スケジューリングリソース範囲２９ｂである。スケジューリング装置は、プレスケジューリングリソース範囲２９ａに先行するデータパケット２９ｃでスケジューリング指示情報を送信し、相応して、被スケジューリング装置も、データパケット２９ｃでスケジューリング指示情報を受信する。プレスケジューリング情報を伝達するデータパケットは、ブロードキャストデータパケット、マルチキャストデータパケット、又は被スケジューリング装置に専用のデータパケットであって良い。
【００７９】
留意すべきことに、ステップ２０１及びステップ２０２の実行、並びにステップ２０４及びステップ２０５の実行に順序はない。例えば、ステップ２０１及びステップ２０４は結合されて良い。つまり、リソース範囲割り当て情報及びスケジューリング指示情報は同時に生成され、リソース範囲割り当て情報及びスケジューリング指示情報は、異なるメッセージを用いて別個に送信されて良く、又は同じメッセージを用いて送信されて良い。リソース範囲割り当て情報を生成し及び送信する、並びにスケジューリング指示情報を生成し及び送信する順序は、本発明の本実施形態に限定されない。
【００８０】
ステップ２０６。プレスケジューリング情報が、スケジューリング装置はプレスケジューリングリソース範囲内で被スケジューリング装置に無線リソースを割り当てることを示すとき、被スケジューリング装置は、プレスケジューリング情報により示される無線リソース上で、データ受信若しくは送信、又は制御シグナリング受信を実行する。
【００８１】
プレスケジューリング情報が、スケジューリング装置はプレスケジューリングリソース範囲内で被スケジューリング装置に無線リソースを割り当てることを示すとき、プレスケジューリング情報は通信のために使用される割り当てられた無線リソースを直接示して良く、被スケジューリング装置は、プレスケジューリング情報により示される無線リソース上で、データ受信若しくは送信を直接実行する。代替で、プレスケジューリング情報が、スケジューリング装置はプレスケジューリングリソース範囲内で被スケジューリング装置に無線リソースを割り当てることを示すとき、プレスケジューリング情報はスケジューリングリソースを示して良く、被スケジューリング装置は、受信又は送信のために使用される無線リソースを得るために、プレスケジューリング情報により示される無線リソース上で制御シグナリング検出を実行し、該無線リソース上でデータ受信又は送信を実行する。被スケジューリング装置に割り当てられ且つ通信のために使用されるスケジューリングリソース及び無線リソースの両者は、プレスケジューリングリソース範囲内の時間周波数リソースである。
【００８２】
任意で、被スケジューリング装置は、プレスケジューリング情報により示されたリソース以外のプレスケジューリングリソース範囲内で、制御シグナリング検出並びにデータ受信及び送信を実行しない。プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも、制御シグナリング検出、データ受信及び送信を実行しない。
【００８３】
ステップ２０７。動的スケジューリング情報が、スケジューリング装置は動的スケジューリングリソース範囲内で被スケジューリング装置に通信のために使用される無線リソースを割り当てることを示すとき、被スケジューリング装置は、動的スケジューリングリソース範囲内の各サブフレーム内で、制御シグナリング検出を実行する。
【００８４】
動的スケジューリング情報が、スケジューリング装置は動的スケジューリングリソース範囲内で被スケジューリング装置に通信のために使用される無線リソースを割り当てることを示すとき、被スケジューリング装置は、動的スケジューリングリソース範囲内の各サブフレーム内で制御シグナリング検出を実行し、制御シグナリング検出結果に従い、スケジューリング装置が被スケジューリング装置に無線リソースを割り当てるか否かを決定し、被スケジューリング装置は、割り当てられた無線リソース上でデータ受信又は送信を実行する。
【００８５】
被スケジューリング装置のサービスがバーストサービスを含む場合、スケジューリング装置は、バーストサービスのために動的スケジューリングリソース範囲をスケジューリングし、動的スケジューリングリソース範囲内で被スケジューリング装置に無線リソースを割り当てる。この場合、被スケジューリング装置は動的スケジューリングリソース範囲内の各サブフレーム内で制御シグナリング検出を実行するので、動的スケジューリングリソース範囲内のサブフレーム内で、制御シグナリングにより示され且つ通信のために使用される無線リソースを検出すると、被スケジューリング装置は、無線リソースに従いバーストサービスのデータを受信し又は送信する。
【００８６】
任意で、動的スケジューリング情報が、スケジューリング装置は動的スケジューリングリソース範囲内で被スケジューリング装置に無線リソースを割り当てないことを示すとき、被スケジューリング装置は、動的スケジューリングリソース範囲内のいずれのリソースでも、制御シグナリング検出を実行しない。
【００８７】
ステップ２０８。プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。
【００８８】
留意すべきことに、ステップ２０８は任意的ステップであり、本発明の本実施形態における必須ステップではない。
【００８９】
纏めると、本発明の本実施形態において示されたリソーススケジューリング方法では、スケジューリング装置は、リソース範囲を得るためにスケジューリング期間内の利用可能リソース範囲を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【００９０】
追加で本発明の本実施形態で示された方法によると、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【００９１】
追加で、本発明の本実施形態に示された方法によると、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内の全てのリソース上で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内で制御シグナリング検出を実行しない。したがって、被スケジューリング装置の電力消費が更に低減される。
【００９２】
追加で、本発明の本実施形態に示された方法によると、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【００９３】
図３を参照すると、図３は、本発明の一実施形態によるリソーススケジューリング機器の構造図である。リソーススケジューリング機器は、ハードウェア、又はハードウェアとソフトウェアの組合せを用いて、図１に示す実施環境内の被スケジューリング装置１２０として実装されて良く、図２Ａ−１及び図２Ａ−２の被スケジューリング装置により実行される全部又は一部のステップを実行するよう構成される。機器は、受信ユニット３０１、及び通信ユニット３０２を含んで良い。
【００９４】
受信ユニット３０１は、スケジューリング装置により送信されたスケジューリング指示情報を受信するよう構成される。ここで、スケジューリング指示情報は、プレスケジューリング情報を含む。
【００９５】
通信ユニット３０２は、プレスケジューリング情報が、スケジューリング装置はプレスケジューリングリソース範囲内で被スケジューリング装置に無線リソースを割り当てることを示すとき、プレスケジューリング情報により示される無線リソース上で、データ受信若しくは送信、又は制御シグナリング検出を実行するよう構成される。
【００９６】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【００９７】
任意で、通信ユニット３０２は、具体的に、無線リソースを得るために、プレスケジューリング情報により示されるスケジューリングリソース上で制御シグナリング検出を実行し、該無線リソース上でデータ受信又は送信を実行するよう構成される。
【００９８】
スケジューリングリソースは、プレスケジューリングリソース範囲内の時間周波数リソースである。
【００９９】
任意で、スケジューリング指示情報は、動的スケジューリング情報を更に含み、機器は、
動的スケジューリング情報が、スケジューリング装置は動的スケジューリングリソース範囲内で被スケジューリング装置に無線リソースを割り当てることを示すとき、動的スケジューリングリソース範囲内で制御シグナリング検出を実行するよう構成される検出ユニット３０３を更に含む。
【０１００】
動的スケジューリングリソース範囲は、少なくとも１つのスケジューリング期間内の利用可能時間周波数リソース範囲に含まれる、プレスケジューリングリソース範囲以外のリソース範囲の一部である。
【０１０１】
任意で、通信ユニット３０２は、プレスケジューリング情報が、スケジューリング装置はプレスケジューリングリソース範囲内で被スケジューリング装置に無線リソースを割り当てないことを示すとき、プレスケジューリングリソース範囲内で、データ受信若しくは送信、又は制御シグナリング検出を実行することをスキップするよう更に構成される。
【０１０２】
通信ユニット３０２は、動的スケジューリング情報が、スケジューリング装置は動的スケジューリングリソース範囲内で被スケジューリング装置に無線リソースを割り当てないことを示すとき、動的スケジューリングリソース範囲内で、データ受信若しくは送信、又は制御シグナリング検出を実行することをスキップするよう更に構成される。
【０１０３】
機器は、
プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、スリープモードに入るよう被スケジューリング装置を制御するよう構成されるスリープユニット３０４を更に含む。
【０１０４】
任意で、受信ユニット３０１は、具体的に、少なくとも１つのスケジューリング期間に先行するサブフレームにより伝達されるスケジューリング指示情報を受信するよう構成される、又は、
受信ユニット３０１は、具体的に、プレスケジューリングリソース範囲内の特定データパケットにより伝達されるスケジューリング指示情報を受信するよう構成される、又は、
受信ユニット３０１は、具体的に、プレスケジューリングリソース範囲内のサブフレームにより伝達されるスケジューリング指示情報を受信するよう構成される、又は、
受信ユニット３０１は、具体的に、プレスケジューリングリソース範囲内の特定サブフレームの特定物理ダウンリンク制御チャネルＰＤＣＣＨにより伝達されるスケジューリング指示情報を受信するよう構成される、又は、
受信ユニット３０１は、具体的に、プレスケジューリングリソース範囲内の特定サブフレームの特定ＰＤＣＣＨにより伝達されるチャネル指示情報を受信し、チャネル指示情報により示される物理ダウンリンク共有チャネルＰＤＳＣＨにより伝達されるスケジューリング指示情報を受信するよう構成される、又は、
受信ユニット３０１は、具体的に、少なくとも１つのスケジューリング期間の前に存在する特定データパケットにより伝達されるスケジューリング指示情報を受信するよう構成される。
【０１０５】
任意で、受信ユニット３０１は、スケジューリング装置により送信されたリソース範囲割り当て情報を受信するよう更に構成され、リソース範囲割り当て情報は、少なくとも１つのスケジューリング期間内のプレスケジューリングリソース範囲及び動的スケジューリングリソース範囲を示すために使用される。
【０１０６】
機器は、決定ユニット３０５を更に含む。
【０１０７】
決定ユニット３０５は、リソース範囲割り当て情報に従い、少なくとも１つのスケジューリング期間内のプレスケジューリングリソース範囲及び動的スケジューリングリソース範囲を決定するよう構成される。
【０１０８】
纏めると、本発明の本実施形態において示されたリソーススケジューリング機器によると、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１０９】
追加で、本発明の本実施形態で示された機器によると、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【０１１０】
追加で、本発明の本実施形態に示された機器によると、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内の全てのリソース上で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内のリソース上で制御シグナリング検出を実行しない。したがって、被スケジューリング装置の電力消費が更に低減される。
【０１１１】
追加で、本発明の本実施形態に示された機器によると、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【０１１２】
図４を参照すると、図４は、本発明の一実施形態によるリソーススケジューリング機器の構造図である。リソーススケジューリング機器は、ハードウェア、又はハードウェアとソフトウェアの組合せを用いて、図１に示す実施環境内のスケジューリング装置１２０として実装されて良く、図２Ａ−１及び図２Ａ−２のスケジューリング装置により実行される全部又は一部のステップを実行するよう構成される。機器は、生成ユニット４０１、及び送信ユニット４０２を含んで良い。
【０１１３】
生成ユニット４０１は、スケジューリング指示情報を生成するよう構成される。ここで、スケジューリング指示情報は、プレスケジューリング情報を含む。
【０１１４】
送信ユニット４０２は、スケジューリング指示情報を被スケジューリング装置へ送信するよう構成され、プレスケジューリング情報が、スケジューリング装置はプレスケジューリングリソース範囲内で被スケジューリング装置に無線リソースを割り当てることを示すとき、被スケジューリング装置が、プレスケジューリング情報により示される無線リソース上で、データ受信若しくは送信、又は制御シグナリング受信を実行するようにする。
【０１１５】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１１６】
任意で、スケジューリング指示情報は、動的スケジューリング情報を更に含み、動的スケジューリング情報は、スケジューリング装置が動的スケジューリングリソース範囲内で被スケジューリング装置に無線リソースを割り当てるか否かを示すために使用され、動的情報が、スケジューリング装置は動的スケジューリングリソース範囲内で被スケジューリング装置に無線リソースを割り当てることを示すとき、被スケジューリング装置が動的スケジューリングリソース範囲内のリソース上で制御シグナリング検出を実行するようにする。
【０１１７】
動的スケジューリングリソース範囲は、少なくとも１つのスケジューリング期間内の利用可能時間周波数リソース範囲に含まれる、プレスケジューリングリソース範囲以外のリソース範囲の一部である。
【０１１８】
任意で、送信ユニット４０２は、具体的に、少なくとも１つのスケジューリング期間に先行するサブフレームを用いてスケジューリング指示情報を送信するよう構成される、又は、
送信ユニット４０２は、具体的に、プレスケジューリングリソース範囲内のサブフレームを用いてスケジューリング指示情報を送信するよう構成される、又は、
送信ユニット４０２は、具体的に、プレスケジューリングリソース範囲内の特定データパケットを用いてスケジューリング指示情報を送信するよう構成される、又は、
送信ユニット４０２は、具体的に、プレスケジューリングリソース範囲内の特定サブフレームの特定ＰＤＣＣＨを用いてスケジューリング指示情報を送信するよう構成される、又は、
送信ユニット４０２は、具体的に、プレスケジューリングリソース範囲内の特定サブフレームの特定ＰＤＣＣＨを用いてチャネル指示情報を送信し、チャネル指示情報により示される物理ダウンリンク共有チャネルＰＤＳＣＨを用いてスケジューリング指示情報を送信するよう構成される、又は、
送信ユニット４０２は、具体的に、少なくとも１つのスケジューリング期間の前に存在する特定データパケットを用いてスケジューリング指示情報を送信するよう構成される。
【０１１９】
任意で、生成ユニット４０１は、具体的に、以下の情報：  スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービスボリュームの期間、のうちの少なくとも１つに従い、スケジューリング指示情報を生成するよう構成される。
【０１２０】
任意で、生成ユニット４０１は、スケジューリング装置にアクセスする被スケジューリング装置に関する情報に従い、リソース範囲割り当て情報を生成するよう更に構成され、リソース範囲割り当て情報は、少なくとも１つのスケジューリング期間内のプレスケジューリングリソース範囲及び動的スケジューリングリソース範囲を示すために使用され、スケジューリング装置にアクセスする被スケジューリング装置に関する情報は、被スケジューリング装置の数、被スケジューリング装置の種類、被スケジューリング装置のサービス種類、被スケジューリング装置のサービスボリュームのサイズ、又は被スケジューリング装置のサービスボリュームの期間、のうちの少なくとも１つを含む。
【０１２１】
任意で、生成ユニット４０１は、被スケジューリング装置のサービス使用に従い被スケジューリング装置のリソース範囲割り当て情報を生成するよう更に構成され、リソース範囲割り当て情報は、少なくとも１つのスケジューリング期間内のプレスケジューリングリソース範囲及び動的スケジューリングリソース範囲を示すために使用される。
【０１２２】
送信ユニット４０２は、リソース範囲割り当て情報を被スケジューリング装置へ送信するよう更に構成される。
【０１２３】
纏めると、本発明の本実施形態において示されたリソーススケジューリング機器によると、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１２４】
図３及び図４に示されるユニットの中で、受信ユニット及び送信ユニットにより実行されるステップは、プロセッサの制御下で通信機により達成されて良く、他のユニットにより実行されるステップはプロセッサにより独立に達成されて良い。更に、図５を参照すると、図５は、本発明の一実施形態によるネットワーク装置のブロック図である。ネットワーク装置５００は、図１に示されるネットワーク環境内の被スケジューリング装置１２０又はスケジューリング装置１１０として実施されて良い。ネットワーク装置５００は、メモリ５０１、通信機５０２、並びにメモリ５０１及び通信機５０２に接続されたプロセッサ５０３を含む。メモリ５０１は命令を格納するよう構成され、プロセッサ５０３は、メモリ５０１に格納された命令を実行するよう構成される。メモリ５０１は、静的ランダムアクセスメモリ（英語：Static  Random  Access  Memory、略してＳＲＡＭ）、電子消去可能プログラマブル読み出し専用メモリ（英語：Electrically  Erasable  Programmable  Read−Only  Memory、略してＥＥＰＲＯＭ）、消去可能プログラマブル読み出し専用メモリ（英語：Erasable  Programmable  Read  Only  Memory、略してＥＰＲＯＭ）、プログラマブル読み出し専用メモリ（英語：Programmable  Read−Only  Memory、略してＰＲＯＭ）、読み出し専用メモリ（英語：Read  Only  Memory、略してＲＯＭ）、磁気メモリ、フラッシュメモリ、磁気ディスク、又は光ディスクのような、揮発性記憶装置又は不揮発性記憶装置又はそれらの組合せ、相応して、メモリ５０１は、プロセッサ５０３のメモリへのアクセスを制御するために、メモリ制御部を更に含んで良い。通信機５０２は、モデムの統合される無線通信機モジュールであって良い。モデムは通信機５０２の外部に独立に置かれて良いこと、及びプロセッサ５０３は中央処理ユニット（英語：Central  Processing  Unit、略してＣＰＵ）又は任意のコプロセッサであって良いことが理解され得る。
【０１２５】
ネットワーク装置５００が図１に示すネットワーク環境内の被スケジューリング装置１２０として実装される場合、メモリ５０１に格納された命令を実行すると、プロセッサ５０３は、スケジューリング装置により送信されたスケジューリング指示情報を受信するよう通信機５０２を制御するよう構成される。ここで、スケジューリング指示情報はプレスケジューリング情報を含む。
【０１２６】
プレスケジューリング情報が、スケジューリング装置はプレスケジューリングリソース範囲内で被スケジューリング装置に無線リソースを割り当てることを示すとき、プロセッサ５０３は、プレスケジューリング情報により示される無線リソース上で、データ受信若しくは送信、又は制御シグナリング検出を実行するよう通信機５０２を制御するよう構成される。
【０１２７】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１２８】
任意で、データ受信若しくは送信又は制御シグナリング検出が、プレスケジューリング情報により示される無線リソース上で実行されるとき、プロセッサ５０３は、無線リソースを取得するために、プレスケジューリング情報により示されるスケジューリングリソース上で制御シグナリング検出を実行するよう通信機５０２を制御し、無線リソース上でデータ受信又は送信を実行するよう通信機５０２を制御するよう構成される。
【０１２９】
スケジューリングリソースは、プレスケジューリングリソース範囲内の時間周波数リソースである。
【０１３０】
任意で、スケジューリング指示情報は、動的スケジューリング情報を更に含み、プロセッサ５０３は、動的スケジューリング情報が、スケジューリング装置は動的スケジューリングリソース範囲内で被スケジューリング装置に無線リソースを割り当てることを示すとき、動的スケジューリングリソース範囲内で制御シグナリング検出を実行するよう通信機５０２を制御するよう更に構成される。
【０１３１】
動的スケジューリングリソース範囲は、少なくとも１つのスケジューリング期間内の利用可能時間周波数リソース範囲に含まれる、プレスケジューリングリソース範囲以外のリソース範囲の一部である。
【０１３２】
任意で、プロセッサ５０３は、プレスケジューリング情報が、スケジューリング装置はプレスケジューリングリソース範囲内で被スケジューリング装置に無線リソースを割り当てないことを示すとき、プレスケジューリングリソース範囲内で、データ受信若しくは送信、又は制御シグナリング検出を実行しないよう通信機を制御するよう更に構成される。
【０１３３】
プロセッサ５０３は、動的スケジューリング情報が、スケジューリング装置は動的スケジューリングリソース範囲内で被スケジューリング装置に無線リソースを割り当てないことを示すとき、動的スケジューリングリソース範囲内で、データ受信若しくは送信、又は制御シグナリング検出を実行しないよう通信機を制御するよう更に構成される。
【０１３４】
プロセッサ５０３は、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、スリープモードに入るよう被スケジューリング装置を制御するよう更に構成される。
【０１３５】
任意で、プロセッサ５０３は、スケジューリング装置により送信されたスケジューリング指示情報を受信するよう通信機５０２を制御するとき、少なくとも１つのスケジューリング期間に先行するサブフレームにより伝達されるスケジューリング指示情報を受信するよう通信機を制御するよう構成される、又は、
プロセッサ５０３は、スケジューリング装置により送信されたスケジューリング指示情報を受信するよう通信機５０２を制御するとき、プレスケジューリングリソース範囲内の特定データパケットにより伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内のビーコンフレームにより伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内の特定サブフレームの特定物理ダウンリンク制御チャネルＰＤＣＣＨにより伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内の特定サブフレームの特定ＰＤＣＣＨにより伝達されるチャネル指示情報を受信するよう通信機５０２を制御し、チャネル指示情報により示される物理ダウンリンク共有チャネルＰＤＳＣＨにより伝達されるスケジューリング指示情報を受信するよう通信機５０２を制御するよう構成される、又は、
プロセッ５０３サは、スケジューリング装置により送信されたスケジューリング指示情報を受信するよう通信機５０２を制御するとき、少なくとも１つのスケジューリング期間の前に存在する特定データパケットにより伝達されるスケジューリング指示情報を受信するよう通信機５０２を制御するよう構成される。
【０１３６】
任意で、プロセッサ５０３は、スケジューリング装置により送信されたリソース範囲割り当て情報を受信するよう通信機５０２を制御するよう更に構成され、リソース範囲割り当て情報は、少なくとも１つのスケジューリング期間内のプレスケジューリングリソース範囲及び動的スケジューリングリソース範囲を示すために使用され、
プロセッサ５０３は、リソース範囲割り当て情報に従い、少なくとも１つのスケジューリング期間内のプレスケジューリングリソース範囲及び動的スケジューリングリソース範囲を決定するよう更に構成される。
【０１３７】
ネットワーク装置５００が図１に示すネットワーク環境内のスケジューリング装置１１０として実装される場合、メモリ５０１に格納された命令を実行すると、プロセッサ５０３は、スケジューリング指示情報を生成するよう構成される。ここで、スケジューリング指示情報はプレスケジューリング情報を含む。
【０１３８】
プロセッサ５０３は、スケジューリング指示情報を被スケジューリング装置へ送信するよう構成され、プレスケジューリング情報が、スケジューリング装置はプレスケジューリングリソース範囲内で被スケジューリング装置に無線リソースを割り当てることを示すとき、被スケジューリング装置が、プレスケジューリング情報により示される無線リソース上で、データ受信若しくは送信、又は制御シグナリング受信を実行するようにする。
【０１３９】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１４０】
任意で、スケジューリング指示情報は、動的スケジューリング情報を更に含み、動的スケジューリング情報は、スケジューリング装置が動的スケジューリングリソース範囲内で被スケジューリング装置に無線リソースを割り当てるか否かを示すために使用され、動的情報が、スケジューリング装置は動的スケジューリングリソース範囲内で被スケジューリング装置に無線リソースを割り当てることを示すとき、被スケジューリング装置が動的スケジューリングリソース範囲内のリソース上で制御シグナリング検出を実行するようにする。
【０１４１】
動的スケジューリングリソース範囲は、少なくとも１つのスケジューリング期間内の利用可能時間周波数リソース範囲に含まれる、プレスケジューリングリソース範囲以外のリソース範囲の一部である。
【０１４２】
任意で、プロセッサ５０３は、スケジューリング指示情報が被スケジューリング装置へ送信されるとき、少なくとも１つのスケジューリング期間に先行するサブフレームを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内のビーコンフレームを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定データパケットを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定サブフレームの特定ＰＤＣＣＨを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定サブフレームの特定ＰＤＣＣＨを用いてチャネル指示情報を送信するよう通信機５０２を制御し、チャネル指示情報により示される物理ダウンリンク共有チャネルＰＤＳＣＨを用いてスケジューリング指示情報を送信するよう通信機５０２を制御するよう構成される、又は、
プロセッサ５０３は、スケジューリング指示情報が被スケジューリング装置へ送信されるとき、少なくとも１つのスケジューリング期間の前に存在する特定データパケットを用いてスケジューリング指示情報を送信するよう通信機５０２を制御するよう構成される。
【０１４３】
任意で、プロセッサ５０３は、スケジューリング指示情報を生成するとき、以下の情報：  スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービスボリュームの期間、のうちの少なくとも１つに従い、スケジューリング指示情報を生成するよう構成される。
【０１４４】
任意で、プロセッサ５０３は、スケジューリング指示情報を生成するとき、被スケジューリング装置のサービス種類及び／又はサービスボリュームのサイズ及び／又はサービス送信期間に従いスケジューリング指示情報を生成するよう構成される。
【０１４５】
任意で、プロセッサ５０３は、スケジューリング装置にアクセスする被スケジューリング装置に関する情報に従い、リソース範囲割り当て情報を受信するよう更に構成され、リソース範囲割り当て情報は、少なくとも１つのスケジューリング期間内のプレスケジューリングリソース範囲及び動的スケジューリングリソース範囲を示すために使用される。
【０１４６】
プロセッサ５０３は、リソース範囲割り当て情報を被スケジューリング装置へ送信するよう通信機５０２を制御するよう更に構成される。
【０１４７】
スケジューリング装置にアクセスする被スケジューリング装置に関する情報は、被スケジューリング装置の数、被スケジューリング装置の種類、被スケジューリング装置のサービス種類、被スケジューリング装置のサービスボリュームのサイズ、又は被スケジューリング装置のサービスボリュームの期間、のうちの少なくとも１つを含む。
【０１４８】
プロセッサ５０３は、リソース範囲割り当て情報を生成するとき、１又は複数の、又は全部の被スケジューリング装置について、リソース範囲割り当て情報を別個に生成するよう構成される。
【０１４９】
纏めると、本発明の本実施形態において示されたネットワーク装置が、スケジューリング装置及び被スケジューリング装置として別個に実施されるとき、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行する。つまり、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１５０】
追加で、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【０１５１】
追加で、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内のリソース上で制御シグナリング検出を実行しない。したがって、被スケジューリング装置の電力消費が更に低減される。
【０１５２】
追加で、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【０１５３】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０１５４】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０１５５】
本願において提供される幾つかの実施形態では、開示のシステム、機器、及び方法は他の方法で実装されて良いことが理解されるべきである。例えば、記載した装置の実施形態は単なる一例である。例えば、ユニットの分割は、単なる論理的機能の区分であって良く、実際の実装では他の区分であって良い。例えば、複数のユニット又はコンポーネントは、別のシステムに結合又は統合されて良い。或いは、幾つかの機能は無視されるか又は実行されなくて良い。
【０１５６】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に応じて選択されて良い。
【０１５７】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０１５８】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。ソフトウェア製品は、記憶媒体に格納され、コンピュータ装置（パーソナルコンピュータ、サーバ、又はネットワーク装置であって良い）に、本発明の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read−Only  Memory、ROM）、ランダムアクセスメモリ（Random  Access  Memory、RAM）、磁気ディスク又は光ディスクのような、プログラムコードを格納可能な任意の媒体を有する。
【０１５９】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【図１】
2019500786.tif 000003
【図２Ａ−１】
2019500786.tif 000004
【図２Ａ−２】
2019500786.tif 000005
【図２Ｂ】
2019500786.tif 000006
【図２Ｃ】
2019500786.tif 000007
【図２Ｄ】
2019500786.tif 000008
【図２Ｅ】
2019500786.tif 000009
【図２Ｆ】
2019500786.tif 000010
【図２Ｇ】
2019500786.tif 000011
【図２Ｈ】
2019500786.tif 000012
【図２Ｉ】
2019500786.tif 000013
【図２Ｊ】
2019500786.tif 000014
【図３】
2019500786.tif 000015
【図４】
2019500786.tif 000016
【図５】
2019500786.tif 000017
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
被スケジューリング装置であって、前記被スケジューリング装置は、メモリ、通信機、及び前記メモリ及び前記通信機に接続されたプロセッサを含み、前記メモリは命令を格納するよう構成され、前記プロセッサは前記メモリに格納された前記命令を実行するよう構成され、前記メモリに格納された前記命令を実行すると、前記プロセッサは、スケジューリング装置により送信されたスケジューリング指示情報を受信するよう前記通信機を制御するよう構成され、前記スケジューリング指示情報は、プレスケジューリング情報及び動的スケジューリング情報を含み、
前記プレスケジューリング情報が、前記スケジューリング装置がプレスケジューリングリソース範囲内で前記被スケジューリング装置に無線リソースを割り当てることを示すとき、前記プロセッサは、データ受信若しくは送信又は制御シグナリング検出を前記プレスケジューリング情報により示される前記無線リソース上で実行するよう前記通信機を制御し、前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、
前記プロセッサは、前記動的スケジューリング情報が、前記スケジューリング装置が前記動的スケジューリングリソース範囲内で前記被スケジューリング装置に無線リソースを割り当てることを示すとき、制御シグナリング検出を前記動的スケジューリングリソース範囲内のリソース上で実行するよう前記通信機を制御するよう更に構成され、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、被スケジューリング装置。
【請求項２】
データ受信若しくは送信又は制御シグナリング検出が、前記プレスケジューリング情報により示される前記無線リソース上で実行されるとき、前記プロセッサは、前記無線リソースを取得するために、前記プレスケジューリング情報により示されるスケジューリングリソース上で制御シグナリング検出を実行するよう前記通信機を制御し、前記無線リソース上でデータ受信又は送信を実行するよう前記通信機を制御するよう構成され、
前記スケジューリングリソースは、前記プレスケジューリングリソース範囲内の時間周波数リソースである、請求項１に記載の被スケジューリング装置。
【請求項３】
前記プロセッサは、前記プレスケジューリング情報が、前記スケジューリング装置が前記プレスケジューリングリソース範囲内で前記被スケジューリング装置に無線リソースを割り当てないことを示すとき、データ受信若しくは送信又は制御シグナリング検出を前記プレスケジューリングリソース範囲内で実行しないよう前記通信機を制御するよう更に構成され、
前記プロセッサは、前記動的スケジューリング情報が、前記スケジューリング装置が前記動的スケジューリングリソース範囲内で前記被スケジューリング装置に無線リソースを割り当てないことを示すとき、データ受信若しくは送信又は制御シグナリング検出を前記動的スケジューリングリソース範囲内で実行しないよう前記通信機を制御するよう更に構成され、
前記プロセッサは、前記プレスケジューリング情報が、前記スケジューリング装置が前記プレスケジューリングリソース範囲内で前記被スケジューリング装置に無線リソースを割り当てないことを示し、且つ前記動的スケジューリング情報が、前記スケジューリング装置が前記動的スケジューリングリソース範囲内で前記被スケジューリング装置に無線リソースを割り当てないことを示すとき、スリープモードに入るよう前記被スケジューリング装置を制御するよう更に構成される、請求項１に記載の被スケジューリング装置。
【請求項４】
前記プロセッサは、前記スケジューリング装置により送信された前記スケジューリング指示情報を受信するよう前記通信機を制御するとき、前記少なくとも１つのスケジューリング期間に先行するサブフレームにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定データパケットにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内のビーコンフレームにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定サブフレームの特定物理ダウンリンク制御チャネル（ＰＤＣＣＨ）により伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記プレスケジューリングリソース範囲内の特定サブフレームの特定ＰＤＣＣＨにより伝達されるチャネル指示情報を受信するよう前記通信機を制御し、前記チャネル指示情報により示される物理ダウンリンク共有チャネルＰＤＳＣＨにより伝達される前記スケジューリング指示情報を受信するよう前記通信機を制御するよう構成される、又は、
前記プロセッサは、前記スケジューリング装置により送信された前記スケジューリング指示情報を受信するよう前記通信機を制御するとき、前記少なくとも１つのスケジューリング期間の前に存在する特定データパケットにより伝達される前記スケジューリング指示情報を受信するよう前記通信機を制御するよう構成される、請求項１乃至３のいずれか一項に記載の被スケジューリング装置。
【請求項５】
前記プロセッサは、前記スケジューリング装置により送信されたリソース範囲割り当て情報を受信するよう前記通信機を制御するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記プロセッサは、前記リソース範囲割り当て情報に従い、前記少なくとも１つのスケジューリング期間内の前記プレスケジューリングリソース範囲及び前記動的スケジューリングリソース範囲を決定するよう更に構成される、請求項１乃至３のいずれか一項に記載の被スケジューリング装置。
【請求項６】
スケジューリング装置であって、前記スケジューリング装置は、メモリ、通信機、及び前記メモリ及び前記通信機に接続されたプロセッサを含み、前記メモリは命令を格納するよう構成され、前記プロセッサは前記メモリに格納された前記命令を実行するよう構成され、前記メモリに格納された前記命令を実行すると、前記プロセッサは、スケジューリング指示情報を生成するよう構成され、前記スケジューリング指示情報は、プレスケジューリング情報及び動的スケジューリング情報を含み、
前記プレスケジューリング情報が、前記スケジューリング装置がプレスケジューリングリソース範囲内で被スケジューリング装置に無線リソースを割り当てることを示すとき、前記被スケジューリング装置が、データ受信若しくは送信又は制御シグナリング検出を前記プレスケジューリング情報により示される前記無線リソース上で実行し、前記動的スケジューリング情報が、前記スケジューリング装置が動的スケジューリングリソース範囲内で前記被スケジューリング装置に無線リソースを割り当てることを示すとき、前記被スケジューリング装置が制御シグナリング検出を前記動的スケジューリングリソース範囲内のリソース上で実行するように、前記プロセッサは、前記スケジューリング指示情報を前記被スケジューリング装置へ送信するよう前記通信機を制御するよう更に構成され、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、スケジューリング装置。
【請求項７】
前記プロセッサは、前記スケジューリング指示情報が前記被スケジューリング装置へ送信されるとき、前記少なくとも１つのスケジューリング期間に先行するサブフレームを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内のサブフレームを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定データパケットを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定サブフレームの特定ＰＤＣＣＨを用いて前記スケジューリング指示情報を送信するよう前記通信機を制御するよう構成される、又は、
前記プロセッサは、前記スケジューリング指示情報が前記被スケジューリング装置へ送信されるとき、前記プレスケジューリングリソース範囲内の特定サブフレームの特定ＰＤＣＣＨを用いてチャネル指示情報を送信するよう前記通信機を制御し、前記チャネル指示情報により示される物理ダウンリンク共有チャネルＰＤＳＣＨを用いて前記スケジューリング指示情報を送信するよう前記通信機を制御するよう構成される、又は、
前記プロセッサは、前記スケジューリング指示情報が前記被スケジューリング装置へ送信されるとき、前記少なくとも１つのスケジューリング期間の前に存在する特定データパケットを用いて前記スケジューリング指示情報を送信するよう前記通信機を制御するよう構成される、請求項６に記載のスケジューリング装置。
【請求項８】
前記プロセッサは、前記スケジューリング指示情報を生成するとき、以下の情報：
前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つに従い、前記スケジューリング指示情報を生成するよう構成される、請求項６に記載のスケジューリング装置。
【請求項９】
前記プロセッサは、前記スケジューリング装置にアクセスする被スケジューリング装置に関する情報に従い、リソース範囲割り当て情報を生成するよう更に構成され、前記リソース範囲割り当て情報は、前記少なくとも１つのスケジューリング期間内の前記プレスケジューリングリソース範囲及び前記動的スケジューリングリソース範囲を示すために使用され、
前記プロセッサは、前記リソース範囲割り当て情報を前記被スケジューリング装置へ送信するよう前記通信機を制御するよう更に構成され、
前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つを含む、請求項６に記載のスケジューリング装置。
【請求項１０】
前記プロセッサは、前記リソース範囲割り当て情報を生成するとき、１又は複数の、又は全部の被スケジューリング装置について、リソース範囲割り当て情報を別個に生成するよう構成される、請求項９に記載のスケジューリング装置。
【請求項１１】
スケジューリング方法であって、前記方法は、
被スケジューリング装置により、スケジューリング装置により送信されたスケジューリング指示情報を受信するステップであって、前記スケジューリング指示情報は、プレスケジューリング情報及び動的スケジューリング情報を含む、ステップと、
前記被スケジューリング装置により、前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するステップと、
前記動的スケジューリング情報が、前記スケジューリング装置が動的スケジューリングリソース範囲内で前記被スケジューリング装置に無線リソースを割り当てることを示すとき、前記被スケジューリング装置により、制御シグナリング検出を前記動的スケジューリングリソース範囲内のリソース上で実行するステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、方法。
【請求項１２】
前記被スケジューリング装置により、前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行する前記ステップは、
前記被スケジューリング装置により、前記無線リソースを得るために、制御シグナリング検出を前記プレスケジューリング情報により示されるスケジューリングリソース上で実行するステップと、
前記被スケジューリング装置により、データ受信又は送信を前記無線リソース上で実行するステップと、
を含み、
前記スケジューリングリソースは、前記プレスケジューリングリソース範囲内の時間周波数リソースである、請求項１１に記載の方法。
【請求項１３】
前記方法は、
前記プレスケジューリング情報が、前記スケジューリング装置が前記プレスケジューリングリソース範囲内で前記被スケジューリング装置に無線リソースを割り当てないことを示すとき、前記被スケジューリング装置により、データ受信若しくは送信又は制御シグナリング検出を前記プレスケジューリングリソース範囲内で実行することをスキップするステップと、
前記動的スケジューリング情報が、前記スケジューリング装置が前記動的スケジューリングリソース範囲内で前記被スケジューリング装置に無線リソースを割り当てないことを示すとき、前記被スケジューリング装置により、データ受信若しくは送信又は制御シグナリング検出を前記動的スケジューリングリソース範囲内で実行することをスキップするステップと、
前記プレスケジューリング情報が、前記スケジューリング装置が前記プレスケジューリングリソース範囲内で前記被スケジューリング装置に無線リソースを割り当てないことを示し、且つ前記動的スケジューリング情報が、前記スケジューリング装置が前記動的スケジューリングリソース範囲内で前記被スケジューリング装置に無線リソースを割り当てないことを示すとき、前記被スケジューリング装置により、スリープモードに入るステップと、
を更に含む請求項１１に記載の方法。
【請求項１４】
被スケジューリング装置により、スケジューリング装置により送信されたスケジューリング指示情報を受信する前記ステップは、
前記被スケジューリング装置により、前記少なくとも１つのスケジューリング期間に先行するサブフレームにより伝達される前記スケジューリング指示情報を受信するステップ、又は、
前記被スケジューリング装置により、前記プレスケジューリングリソース範囲内の特定データパケットにより伝達される前記スケジューリング指示情報を受信するステップ、又は、
前記被スケジューリング装置により、前記プレスケジューリングリソース範囲内のサブフレームにより伝達される前記スケジューリング指示情報を受信するステップ、又は、
前記被スケジューリング装置により、前記プレスケジューリングリソース範囲内の特定サブフレームの特定物理ダウンリンク制御チャネル（ＰＤＣＣＨ）により伝達される前記スケジューリング指示情報を受信するステップ、又は、
前記被スケジューリング装置により、前記プレスケジューリングリソース範囲内の特定サブフレームの特定ＰＤＣＣＨにより伝達されるチャネル指示情報を受信し、前記チャネル指示情報により示される物理ダウンリンク共有チャネルＰＤＳＣＨにより伝達される前記スケジューリング指示情報を受信するステップ、又は、
前記被スケジューリング装置により、前記少なくとも１つのスケジューリング期間の前に存在する特定データパケットにより伝達される前記スケジューリング指示情報を受信するステップ、
を含む、請求項１１乃至１３のいずれか一項に記載の方法。
【請求項１５】
前記方法は、
前記被スケジューリング装置により、前記スケジューリング装置により送信されたリソース範囲割り当て情報を受信するステップであって、前記リソース範囲割り当て情報は、前記少なくとも１つのスケジューリング期間内の前記プレスケジューリングリソース範囲及び前記動的スケジューリングリソース範囲を示すために使用される、ステップと、
前記被スケジューリング装置により、前記リソース範囲割り当て情報に従い、前記少なくとも１つのスケジューリング期間内の前記プレスケジューリングリソース範囲及び前記動的スケジューリングリソース範囲を決定するステップと、
を更に含む請求項１１乃至１３のいずれか一項に記載の方法。
【請求項１６】
リソーススケジューリング方法であって、前記方法は、
スケジューリング装置により、スケジューリング指示情報を生成するステップであって、前記スケジューリング指示情報は、プレスケジューリング情報及び動的スケジューリング情報を含む、ステップと、
前記スケジューリング装置により、前記スケジューリング指示情報を被スケジューリング装置へ送信するステップであって、前記プレスケジューリング情報が、前記スケジューリング装置がプレスケジューリングリソース範囲内で前記被スケジューリング装置に無線リソースを割り当てることを示すとき、前記被スケジューリング装置が、データ受信若しくは送信又は制御シグナリング検出を前記プレスケジューリング情報により示される前記無線リソース上で実行し、前記動的スケジューリング情報が、前記スケジューリング装置が動的スケジューリングリソース範囲内で前記被スケジューリング装置に無線リソースを割り当てることを示すとき、前記被スケジューリング装置が、制御シグナリング検出を前記動的スケジューリングリソース範囲内のリソース上で実行するようにする、ステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、方法。
【請求項１７】
前記スケジューリング装置により、被スケジューリング装置へ前記スケジューリング指示情報を送信する前記ステップは、
前記スケジューリング装置により、前記少なくとも１つのスケジューリング期間に先行するサブフレームを用いて前記スケジューリング指示情報を送信するステップ、又は、
前記スケジューリング装置により、前記プレスケジューリングリソース範囲内のサブフレームを用いて前記スケジューリング指示情報を送信するステップ、又は、
前記スケジューリング装置により、前記プレスケジューリングリソース範囲内の特定データパケットを用いて前記スケジューリング指示情報を送信するステップ、又は、
前記スケジューリング装置により、前記プレスケジューリングリソース範囲内の特定サブフレームの特定ＰＤＣＣＨを用いて前記スケジューリング指示情報を送信するステップ、又は、
前記スケジューリング装置により、前記プレスケジューリングリソース範囲内の特定サブフレームの特定ＰＤＣＣＨを用いてチャネル指示情報を送信し、前記チャネル指示情報により示される物理ダウンリンク共有チャネルＰＤＳＣＨを用いて前記スケジューリング指示情報を送信するステップ、又は、
前記スケジューリング装置により、前記少なくとも１つのスケジューリング期間の前に存在する特定データパケットを用いて前記スケジューリング指示情報を送信するステップ、
を含む、請求項１６に記載の方法。
【請求項１８】
スケジューリング装置により、前記スケジューリング指示情報を生成する前記ステップは、
前記スケジューリング装置により、以下の情報：
前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つに従い、前記スケジューリング指示情報を生成するステップ、を含む、請求項１６に記載の方法。
【請求項１９】
前記方法は、
前記スケジューリング装置により、前記スケジューリング装置にアクセスする被スケジューリング装置に関する情報に従い、リソース範囲割り当て情報を生成するステップであって、前記リソース範囲割り当て情報は、少なくとも１つのプレスケジューリング期間内の前記プレスケジューリングリソース範囲及び前記動的スケジューリングリソース範囲を示すために使用される、ステップと、
前記スケジューリング装置により、前記被スケジューリング装置へ前記リソース範囲割り当て情報を送信するステップと、
を更に含み、
前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つを含む、請求項１６に記載の方法。
【請求項２０】
前記スケジューリング装置により、前記スケジューリング装置にアクセスする被スケジューリング装置に関する情報に従いリソース範囲割り当て情報を生成する前記ステップは、前記スケジューリング装置により、１又は複数の又は全部の被スケジューリング装置についてリソース範囲割り当て情報を別個に生成するステップを含む、請求項１９に記載の方法。
【請求項２１】
コンピュータにより実行されると該コンピュータに請求項１１乃至２０のいずれか一項に記載の方法のステップを実行させる命令を含む非一時的コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に関し、特に、スケジューリング装置、被スケジューリング装置、並びにリソーススケジューリング方法及び機器に関する。
【背景技術】
【０００２】
無線セルラネットワークでは、スケジューリング装置は、スケジューリングメカニズムを用いて、データ通信を実行するために被スケジューリング装置により使用されるリソースを決定する。
【０００３】
従来のリソーススケジューリングメカニズムでは、スケジューリング装置（例えば、以下では纏めてスケジューリング装置として参照される、基地局、無線アクセスポイント、及び中継ノード）は、各スケジューリング期間に１度、スケジューリング結果を更新し、被スケジューリング装置、例えばユーザ機器（ＵＥ）及び移動局（ＭＳ）にスケジューリング結果を通知する。例えば、ロングタームエボリューション（ＬＴＥ）システムでは、スケジューリング装置は基地局であり、被スケジューリング装置はユーザ機器ＵＥである。基地局は、１ｍｓ毎に１回、スケジューリング結果を更新し、基地局は、物理ダウンリンク制御チャネル（ＰＤＣＣＨ）を用いてＵＥへ、データを受信又は送信するためにＵＥにより使用される無線リソースを示すために使用されるスケジューリング情報を送信する。各動的スケジューリング期間（通常、１サブフレーム、つまり１ｍｓ）内に、接続状態のＵＥは、無線リソーススケジューリング情報を取得するために、基地局により配信されるＰＤＣＣＨ上でブラインド検出を絶えず実行する。通常、１つの動的スケジューリング期間（１サブフレーム、つまり１ｍｓ）中に、ＵＥは、１つのサブキャリア上で３２回、ブラインド検出を実行する。
【０００４】
従来技術は、以下の欠点を有する。
【０００５】
従来のリソーススケジューリングメカニズムでは、ＵＥは、各サブフレーム内でＰＤＣＣＨブラインド検出を実行する必要があり、したがって、電力消費が比較的大きく、被スケジューリング装置のバッテリ寿命が影響を受ける。
【発明の概要】
【０００６】
被スケジューリング装置が各サブフレーム内でＰＤＣＣＨブラインド検出を実行し、したがって、電力消費が比較的大きく、被スケジューリング装置のバッテリ寿命が影響されるという従来技術の問題を解決するために、本願は、スケジューリング装置、被スケジューリング装置、並びにリソーススケジューリング方法及び機器を提供する。
【０００７】
第１の態様によると、本発明は、スケジューリング方法であって、前記方法は、
被スケジューリング装置により、スケジューリング装置により送信されたスケジューリング指示情報を受信するステップであって、前記スケジューリング指示情報は、プレスケジューリング情報及び動的スケジューリング情報を含む、ステップと、
前記被スケジューリング装置により、前記プレスケジューリング情報が、前記スケジューリング装置がプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行するステップと、
前記動的スケジューリング情報が、前記スケジューリング装置が動的スケジューリングリソース範囲内で前記被スケジューリング装置に無線リソースを割り当てることを示すとき、前記被スケジューリング装置により、制御シグナリング検出を前記動的スケジューリングリソース範囲内のリソース上で実行するステップと、
を含み、
前記プレスケジューリング情報により示される前記無線リソースは、前記プレスケジューリングリソース範囲内の時間周波数リソースであり、前記プレスケジューリングリソース範囲は、少なくとも１つのスケジューリング期間の中の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の全部又は一部である、スケジューリング方法を提供する。つまり、被スケジューリング装置は、制御シグナリング検出を全てのリソース上で実行する必要がなく、したがって、被スケジューリング装置の電力消費が削減され、被スケジューリング装置のバッテリ寿命が増大する。
【０００８】
第１の態様の第１の可能な実装では、前記方法は、前記プレスケジューリング情報が、前記スケジューリング装置は前記プレスケジューリングリソース範囲内で前記被スケジューリング装置に無線リソースを割り当てないことを示すとき、前記被スケジューリング装置により、前記プレスケジューリングリソース範囲内でデータ受信若しくは送信又は制御シグナリング検出を実行することをスキップするステップと、前記動的スケジューリング情報が、前記スケジューリング装置は前記動的スケジューリングリソース範囲内で前記被スケジューリング装置に無線リソースを割り当てないことを示すとき、前記被スケジューリング装置により、前記動的スケジューリングリソース範囲内でデータ受信若しくは送信又は制御シグナリング検出を実行することをスキップするステップと、を更に含む。前記プレスケジューリング情報により示される前記無線リソースは、前記プレスケジューリングリソース範囲内の時間周波数リソースであり、前記プレスケジューリングリソース範囲は、前記少なくとも１つのスケジューリング期間内の前記利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲のうちの全部又は一部である。つまり、プレスケジューリング情報又は動的スケジューリング情報が、スケジューリング装置はプレスケジューリングリソース範囲又は動的スケジューリングリソース範囲内で被スケジューリング装置に無線リソースを割り当てないことを示すとき、被スケジューリング装置は、対応するリソース範囲内のいずれのリソース上でも制御シグナリング検出を実行しない。したがって、被スケジューリング装置の電力消費が更に低減され、被スケジューリング装置のバッテリ寿命が増大される。
【０００９】
第１の態様の第２の可能な実装では、前記方法は、前記プレスケジューリング情報が、前記スケジューリング装置は前記プレスケジューリングリソース範囲内で前記被スケジューリング装置に無線リソースを割り当てないことを示し、且つ、前記動的スケジューリング情報が、前記スケジューリング装置は前記動的スケジューリングリソース範囲内で前記被スケジューリング装置に無線リソースを割り当てないことを示すとき、前記被スケジューリング装置によりスリープモードに入るステップを更に含む。つまり、被スケジューリング装置がプレスケジューリングリソース範囲又は動的スケジューリングリソース範囲のいずれにおいてもデータ送信を実行する必要のないとき、被スケジューリング装置は、直接スリープモードに入ることができる。したがって、被スケジューリング装置の電力消費が更に低減される。
【００１０】
第２の態様によると、本発明は、スケジューリング方法であって、前記方法は、スケジューリング装置により、スケジューリング指示情報を生成するステップであって、前記スケジューリング指示情報は、プレスケジューリング情報を含む、ステップと、前記被スケジューリング装置により、前記プレスケジューリング情報を被スケジューリング装置へ送信するステップであって、前記プレスケジューリング情報が、前記スケジューリング装置がプレスケジューリングリソース範囲内で前記被スケジューリング装置に無線リソースを割り当てることを示すとき、前記被スケジューリング装置がデータ受信若しくは送信又は制御シグナリング検出を前記プレスケジューリング情報により示される前記無線リソース上で実行するようにし、動的スケジューリング情報が、前記スケジューリング装置は動的スケジューリングリソース範囲内で前記被スケジューリング装置に無線リソースを割り当てることを示すとき、前記被スケジューリング装置が、データ受信若しくは送信又は制御シグナリング検出を前記動的スケジューリングリソース範囲内のリソース上で実行するようにする、ステップと、を含み、前記プレスケジューリング情報により示される前記無線リソースは、前記プレスケジューリングリソース範囲内の時間周波数リソースであり、前記プレスケジューリングリソース範囲は、少なくとも１つのスケジューリング期間内の利用可能時間周波数リソース範囲のうちの全部又は一部であり、前記動的スケジューリングリソース範囲は、前記プレスケジューリングリソース範囲以外の、前記少なくとも１つのスケジューリング期間内の前記利用可能時間周波数リソース範囲に含まれるリソース範囲の一部である、スケジューリング方法を提供する。
【００１１】
第３の態様によると、本発明は、被スケジューリング装置であって、前記被スケジューリング装置は、メモリと、通信機と、前記メモリ及び前記通信機に接続されたプロセッサと、を含む被スケジューリング装置を更に提供する。前記メモリは、命令を格納するよう構成され、前記プロセッサは、前記メモリに格納された前記命令を実行するよう構成され、前記メモリに格納された前記命令を実行すると、前記プロセッサは、第１の態様又は第１の態様の種々の可能な実装において提供されたリソーススケジューリング方法を実施して良い。
【００１２】
第４の態様によると、本発明は、スケジューリング装置であって、前記スケジューリング装置は、メモリと、通信機と、前記メモリ及び前記通信機に接続されたプロセッサと、を含むスケジューリング装置を更に提供する。前記メモリは、命令を格納するよう構成され、前記プロセッサは、前記メモリに格納された前記命令を実行するよう構成され、前記メモリに格納された前記命令を実行すると、前記プロセッサは、第２の態様又は第２の態様の種々の可能な実装において提供されたリソーススケジューリング方法を実施して良い。
【００１３】
第５の態様によると、本願は、被スケジューリング装置に適用されるリソーススケジューリング機器であって、前記機器は幾つかのユニットを含み、前記幾つかのユニットは、第１の態様又は第１の態様の種々の可能な実装において提供されたリソーススケジューリング方法を実行するよう構成される、機器を提供する。
【００１４】
第６の態様によると、本願は、スケジューリング装置に適用されるリソーススケジューリング機器であって、前記機器は幾つかのユニットを含み、前記幾つかのユニットは、第２の態様又は第２の態様の種々の可能な実装において提供されたリソーススケジューリング方法を実行するよう構成される、機器を提供する。
【００１５】
追加で、前記被スケジューリング装置により、前記プレスケジューリング情報が、前記スケジューリング装置はプレスケジューリングリソース範囲内で前記被スケジューリング装置に無線リソースを割り当てることを示すとき、前記プレスケジューリング情報により示される前記無線リソース上で、データ受信若しくは送信又は制御シグナリング検出を実行する前記ステップは、前記被スケジューリング装置により、前記プレスケジューリング情報により示される前記無線リソース上でデータ受信又は送信を実行するステップを含む。
【００１６】
前記被スケジューリング装置により、前記プレスケジューリング情報が、前記スケジューリング装置はプレスケジューリングリソース範囲内で前記被スケジューリング装置に無線リソースを割り当てることを示すとき、データ受信若しくは送信又は制御シグナリング検出を前記プレスケジューリング情報により示される前記無線リソース上で実行する前記ステップは、前記被スケジューリング装置により、前記無線リソースを得るために、制御シグナリング検出を前記プレスケジューリング情報により示されるスケジューリングリソース上で実行するステップと、前記被スケジューリング装置により、データ受信又は送信を前記無線リソース上で実行するステップと、を含み、前記スケジューリングリソースは、前記プレスケジューリングリソース範囲内の時間周波数リソースである。
【００１７】
前記スケジューリング装置により、前記スケジューリング指示情報を被スケジューリング装置へ送信し、被スケジューリング装置により、スケジューリング装置により送信されたスケジューリング指示情報を受信する前記ステップは、前記被スケジューリング装置により、前記少なくとも１つのスケジューリング期間に先行するサブフレームを用いて前記スケジューリング指示情報を送信し、並びに、前記被スケジューリング装置により、前記少なくとも１つのスケジューリング期間に先行する前記サブフレームにより伝達される前記スケジューリング指示情報を受信するステップ、又は、前記スケジューリング装置により、前記プレスケジューリングリソース範囲内のサブフレームを用いて前記スケジューリング指示情報を送信し、並びに、前記被スケジューリング装置により、前記プレスケジューリングリソース範囲内の前記スケジューリング指示情報を受信するステップ、又は、前記スケジューリング装置により、特定データパケットを用いて前記スケジューリング指示情報を送信し、並びに、前記被スケジューリング装置により、前記特定データパケットにより伝達される前記スケジューリング指示情報を受信するステップ、又は、前記スケジューリング装置により、前記プレスケジューリングリソース範囲内の特定サブフレームの特定ＰＤＣＣＨを用いて前記スケジューリング指示情報を送信し、並びに、前記被スケジューリング装置により、前記プレスケジューリングリソース範囲内の前記特定サブフレームの前記特定物理ダウンリンク制御チャネル（ＰＤＣＣＨ）により伝達される前記スケジューリング指示情報を受信するステップ、又は、前記スケジューリング装置により、前記プレスケジューリングリソース範囲内の前記特定サブフレームの前記特定ＰＤＣＣＨを用いてチャネル指示情報を送信し、前記チャネル指示情報により示される物理ダウンリンク共有チャネル（ＰＤＳＣＨ）を用いて前記スケジューリング指示情報を送信し、前記被スケジューリング装置により、前記プレスケジューリングリソース範囲内の前記特定サブフレームの前記特定ＰＤＣＣＨにより伝達される前記チャネル指示情報を受信し、前記チャネル指示情報により示される前記物理ダウンリンク共有チャネルＰＤＳＣＨにより伝達される前記スケジューリング指示情報を受信するステップ、を含む。
【００１８】
スケジューリング装置により、スケジューリング指示情報を生成する前記ステップは、以下の情報：前記スケジューリング装置にアクセスする被スケジューリング装置の数、前記被スケジューリング装置の種類、前記被スケジューリング装置のサービス種類、前記被スケジューリング装置のサービスボリュームのサイズ、又は前記被スケジューリング装置のサービス送信期間、のうちの少なくとも１つに従い、前記スケジューリング指示情報を生成するステップを含む。
【００１９】
本発明は、前記スケジューリング装置により、前記スケジューリング装置にアクセスする被スケジューリング装置に関する情報に従い、リソース範囲割り当て情報を生成するステップであって、前記リソース範囲割り当て情報は、少なくとも１つのプレスケジューリング期間内の前記プレスケジューリングリソース範囲及び前記動的スケジューリングリソース範囲を示すために使用される、ステップと、前記スケジューリング装置により、前記被スケジューリング装置へ前記リソース範囲割り当て情報を送信するステップと、前記被スケジューリング装置により、前記スケジューリング装置により送信された前記リソース範囲割り当て情報を受信し、前記リソース範囲割り当て情報に従い、前記少なくとも１つのスケジューリング期間内の前記プレスケジューリングリソース範囲及び前記動的スケジューリングリソース範囲を決定するステップと、を更に含み、前記スケジューリング装置にアクセスする被スケジューリング装置に関する前記情報は、被スケジューリング装置の数、前記被スケジューリング装置の種類、前記被スケジューリング装置のサービス種類、前記被スケジューリング装置のサービスボリュームのサイズ、又は前記被スケジューリング装置の前記サービス送信期間、のうちの少なくとも１つを含む。つまり、スケジューリング装置は、スケジューリング装置にアクセスする被スケジューリング装置の数、種類、及びサービスのような関連情報に従い、各スケジューリング装置について、通信又は制御シグナリング検出のために使用されるリソースを指定し、被スケジューリング装置毎にリソース範囲を分割し、各被スケジューリング装置のリソース使用効率を最適化し及び各被スケジューリング装置の全体のスケジューリング効果を向上するために、各被スケジューリング装置の実際のサービス使用を包括的に考慮する。
【００２０】
本発明におけるサブフレームは、被スケジューリング装置にとってリソース割り当て更新を実行するための最小時間であり、被スケジューリング装置の最短動的スケジューリング期間である。ＬＴＥの一例では、１サブフレームは１ミリ秒である。本発明では、最小動的スケジューリング単位は１サブフレームに限定されず、より短い時間、例えば１直交周波数分割多重（ＯＦＤＭ）シンボル又は１タイムスロットであって良く、又はより長い時間、例えば複数のサブフレーム又は１無線フレーム又は複数の無線フレームであって良い。
【図面の簡単な説明】
【００２１】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００２２】
【図１】本発明におけるネットワーク環境のアーキテクチャ図である。
【００２３】
【図２Ａ−１】本発明の実施形態によるリソーススケジューリング方法のフローチャートである。
【図２Ａ−２】本発明の実施形態によるリソーススケジューリング方法のフローチャートである。
【００２４】
【図２Ｂ】図２Ａ−１及び図２Ａ−２に示す実施形態による時間ドメインに従いリソース領域分割を実行する概略図である。
【００２５】
【図２Ｃ】図２Ａ−１及び図２Ａ−２に示す実施形態による周波数ドメインに従いリソース領域分割を実行する概略図である。
【００２６】
【図２Ｄ】図２Ａ−１及び図２Ａ−２に示す実施形態による時間ドメイン及び周波数ドメインに従いリソース領域分割を実行する概略図である。
【００２７】
【図２Ｅ】図２Ａ−１及び図２Ａ−２に示す実施形態によるスケジューリング指示情報を伝達する概略図である。
【００２８】
【図２Ｆ】図２Ａ−１及び図２Ａ−２に示す実施形態によるスケジューリング指示情報を伝達する別の概略図である。
【００２９】
【図２Ｇ】図２Ａ−１及び図２Ａ−２に示す実施形態によるスケジューリング指示情報を伝達する更に別の概略図である。
【００３０】
【図２Ｈ】図２Ａ−１及び図２Ａ−２に示す実施形態によるスケジューリング指示情報を伝達する更に別の概略図である。
【００３１】
【図２Ｉ】図２Ａ−１及び図２Ａ−２に示す実施形態によるスケジューリング指示情報を伝達する更に別の概略図である。
【００３２】
【図２Ｊ】図２Ａ−１及び図２Ａ−２に示す実施形態によるスケジューリング指示情報を伝達する更なる概略図である。
【００３３】
【図３】本発明の一実施形態によるリソーススケジューリング機器の構造図である。
【００３４】
【図４】本発明の一実施形態によるリソーススケジューリング機器の構造図である。
【００３５】
【図５】本発明の一実施形態によるスケジューリング装置のブロック図である。
【発明を実施するための形態】
【００３６】
本発明の目的、技術的解決策、及び利点を一層明らかにするために、以下に、本発明の実施形態を、添付の図面を参照して以下に詳述する。
【００３７】
図１を参照すると、図１は本発明におけるネットワーク環境のアーキテクチャ図である。ネットワーク環境は以下のネットワーク装置：スケジューリング装置１１０及び少なくとも１つの被スケジューリング装置１２０を含む。
【００３８】
少なくとも１つの被スケジューリング装置１２０は、スケジューリング装置に無線方式でアクセスし、スケジューリング装置１１０は、各被スケジューリング装置１２０のために無線リソースをスケジューリングして、各被スケジューリング装置１２０がスケジューリング装置１１０によりスケジューリングされたリソース上でデータを受信又は送信できるようにする。
【００３９】
スケジューリング装置１１０及び被スケジューリング装置１２０は、異なる実際の適用シナリオに従い、異なるネットワーク装置として実装されて良い。例えば、セルラ通信ネットワークでは、スケジューリング装置１１０は基地局であって良く、被スケジューリング装置１２０はユーザ端末、例えば携帯電話機であって良く、無線ローカルエリアネットワークでは、スケジューリング装置１１０は無線アクセスポイント（ＡＰ）、例えば無線ルータであって良く、被スケジューリング装置１２０は無線アクセスポイントに接続された無線端末、例えばスマートフォン、ノートブック、又はタブレットコンピュータであって良く、Ｚｉｇｂｅｅネットワークでは、スケジューリング装置１１０はコーディネータであって良く、被スケジューリング装置１２０はＺｉｇｂｅｅ端末であって良く、或いは、無線センサネットワークでは、スケジューリング装置１１０はクラスタヘッドノードであって良く、被スケジューリング装置１２０は非クラスタヘッドノードであって良い。
【００４０】
従来のスケジューリングメカニズムにおける、処理リソース及び電力リソースの消費が比較的大きい、及び被スケジューリング装置のバッテリ寿命が影響を受けるという問題を解決するために、本発明において示されるソリューションでは、スケジューリング装置１１０は、スケジューリング期間を２つの部分：プレスケジューリングリソース範囲及び動的スケジューリングリソース範囲に分けるために、被スケジューリング装置１２０と交渉する。スケジューリング装置１１０が被スケジューリング装置１２０とデータ通信を実行するとき、バーストサービスでは、被スケジューリング装置１２０は、動的スケジューリングリソース範囲内の各サブフレーム内で制御シグナリング検出を実行し、検出した無線リソース上でバーストサービスのデータを受信し又は送信し、周期的サービスでは、スケジューリング装置１１０は、プレスケジューリングリソース範囲内の幾つかのリソースをスケジューリングリソースとして割り当て、被スケジューリング装置１２０は、スケジューリングリソース上で制御シグナリング検出を実行して通信のための無線リソースを取得し、取得した無線リソース上で周期的サービスのデータを受信し又は送信するが、被スケジューリング装置１２０は、プレスケジューリングリソース範囲内のスケジューリングリソースと異なる他のリソースのいずれに対しても制御シグナリング検出を実行しない。したがって、被スケジューリング装置１２０により他のリソース上で制御シグナリング検出を実行するための電力消費が回避される。
【００４１】
図２Ａ−１及び図２Ａ−２を参照すると、図２Ａ−１及び図２Ａ−２は、本発明の実施形態によるリソーススケジューリング方法のフローチャートである。方法は、図１に示す実施環境に適用されて良い。リソーススケジューリング方法は、以下のステップを含んで良い。
【００４２】
ステップ２０１。スケジューリング装置は、リソース範囲割り当て情報を生成する。
【００４３】
リソース範囲割り当て情報は、少なくとも１つのスケジューリング期間内のプレスケジューリングリソース範囲及び動的スケジューリングリソース範囲を示すために使用される。
【００４４】
スケジューリング装置は、スケジューリング装置にアクセスする被スケジューリング装置に関する情報に従い、リソース範囲割り当て情報を生成して良い。
【００４５】
スケジューリング装置にアクセスする被スケジューリング装置に関する情報は、以下の情報：被スケジューリング装置の数、被スケジューリング装置の種類、被スケジューリング装置のサービス種類、被スケジューリング装置の種々のサービス送信期間、又は被スケジューリング装置のサービスボリュームの種々のサイズ、のうちの少なくとも１つを含む。
【００４６】
プレスケジューリングリソース範囲は、少なくとも１つのスケジューリング期間内の利用可能時間周波数リソース範囲のうちの全部又は一部である。動的スケジューリングリソース範囲は、少なくとも１つのスケジューリング期間内の利用可能時間周波数リソース範囲に含まれる、プレスケジューリングリソース範囲以外のリソース範囲の一部である。任意で、１つのスケジューリング期間は、少なくとも１つのサブフレームを含む。
【００４７】
ステップ２０２。スケジューリング装置は、被スケジューリング装置へリソース範囲割り当て情報を送信し、被スケジューリング装置は、リソース範囲割り当て情報を受信する。
【００４８】
ステップ２０３。被スケジューリング装置は、リソース範囲割り当て情報に従い、各スケジューリング期間内のプレスケジューリングリソース範囲及び動的スケジューリングリソース範囲を決定する。
【００４９】
ステップ２０１〜ステップ２０３は、スケジューリング装置及び被スケジューリング装置が各スケジューリング期間内のプレスケジューリングリソース範囲及び動的スケジューリングリソース範囲の分割について交渉するステップである。
【００５０】
本発明の本実施形態で示される実装では、各スケジューリング期間の時間長は固定されなくて良く、各スケジューリング期間内のプレスケジューリングリソース範囲及び動的スケジューリングリソース範囲も固定されなくて良い。この場合、スケジューリング装置は、スケジューリング装置にアクセスする被スケジューリング装置の数、種類、サービス種類、サービスボリュームのサイズ、及びサービス送信期間に従い、１又は複数のスケジューリング期間の時間長を決定し、１又は複数のスケジューリング期間の各々の中のプレスケジューリングリソース範囲及び動的スケジューリングリソース範囲を決定して良い。例えば、スケジューリング装置にアクセスする被スケジューリング装置の数が小さいほど、スケジューリングがより柔軟になるように、各スケジューリング期間の時間長は短く設定されて良い。あるいは、被スケジューリング装置の数が大きいほど、交渉回数を削減するため及び通信リソースを削減するために、各スケジューリング期間の時間長は長く設定されて良い。代替で、スケジューリング装置にアクセスする被スケジューリング装置により使用されるサービスの中で、周期的サービスのサービストラフィックが大きく、且つバーストサービスのサービストラフィックが小さいとき、各スケジューリング期間内のプレスケジューリングリソース範囲は大きく設定されて良く、動的スケジューリングリソース範囲は小さく設定されて良い。反対に、スケジューリング装置にアクセスする被スケジューリング装置により使用されるサービスの中で、周期的サービスのサービストラフィックが小さく、且つバーストサービスのサービストラフィックが大きいとき、各スケジューリング期間内のプレスケジューリングリソース範囲は小さく設定されて良く、動的スケジューリングリソース範囲は大きく設定されて良い。スケジューリング装置は、全ての被スケジューリング装置のサービス状態を包括的に考慮し、全ての被スケジューリング装置に対して、スケジューリング期間の同じ時間長プレスケジューリングリソース範囲及び動的スケジューリングリソース範囲の同じ分割を設定して良い。追加で、スケジューリング装置は、１つの被スケジューリング装置又は複数の被スケジューリング装置の各々又は全ての被スケジューリング装置について、被スケジューリング装置のサービス使用を参照して、スケジューリング期間の時間長、並びに各スケジューリング期間内のプレスケジューリングリソース範囲及び動的スケジューリングリソース範囲の分割を設定して良い。追加で、スケジューリング装置は、１つの被スケジューリング装置又は複数の被スケジューリング装置の各々又は全ての被スケジューリング装置について、スケジューリング期間の時間長、並びに各スケジューリング期間内のプレスケジューリングリソース範囲及び動的スケジューリングリソース範囲の分割を設定する。これは、被スケジューリング装置のサービス特性に更に良好に適合し、より高い柔軟性を有し、及びより良好な電力節約効果を達成できる。
【００５１】
追加で、スケジューリング装置及び被スケジューリング装置が、各スケジューリング期間内のプレスケジューリングリソース範囲及び動的スケジューリングリソース範囲について交渉するとき、各スケジューリング期間内のプレスケジューリングリソース範囲及び動的スケジューリングリソース範囲は、時間ドメインだけに従う分割により得られて良く、又は周波数ドメインだけに従う分割により得られて良く、又は時間ドメイン及び周波数ドメインの両方に従う分割により得られて良い。例は以下の通りである。
【００５２】
図２Ｂを参照すると、図２Ｂは、本発明の一実施形態による時間ドメインに従うリソース領域分割を実行する概略図である。スケジューリング期間の間、時間期間はｔ１〜ｔ２であり、周波数範囲はｆ１〜ｆ２であり、ｔ３はｔ１とｔ２の間の時であり、スケジューリング期間内の利用可能時間周波数リソース領域２１全体は、時間期間ｔ１〜ｔ２の中の周波数範囲ｆ１〜ｆ２の中の全てのリソースを含む。リソース領域２１ａ（時間期間ｔ１〜ｔ３の中の周波数範囲ｆ１〜ｆ２の中のリソース）は、プレスケジューリングリソース範囲であり、リソース領域２１ｂ（時間期間ｔ３〜ｔ２の中の周波数範囲ｆ１〜ｆ２の中のリソース）は、動的スケジューリングリソース範囲である。
【００５３】
図２Ｃを参照すると、図２Ｃは、本発明の一実施形態による周波数ドメインに従うリソース領域分割を実行する概略図である。スケジューリング期間の間、時間期間はｔ１〜ｔ２であり、周波数範囲はｆ１〜ｆ２であり、ｆ３はｆ１とｆ２の間の周波数であり、スケジューリング期間内の利用可能時間周波数リソース領域２２全体は、時間期間ｔ１〜ｔ２の中の周波数範囲ｆ１〜ｆ２の中の全てのリソースを含む。リソース領域２２ａ（時間期間ｔ１〜ｔ２の中の周波数範囲ｆ１〜ｆ３の中のリソース）は、プレスケジューリングリソース範囲であり、リソース領域２２ｂ（時間期間ｔ１〜ｔ２の中の周波数範囲ｆ３〜ｆ２の中のリソース）は、動的スケジューリングリソース範囲である。
【００５４】
図２Ｄを参照すると、図２Ｄは、本発明の一実施形態による時間ドメインに従うリソース領域分割を実行する概略図である。スケジューリング期間の間、時間期間はｔ１〜ｔ２であり、周波数範囲はｆ１〜ｆ２であり、ｔ３はｔ１とｔ２の間の時であり、ｆ３はｆ１とｆ２との間の周波数であり、スケジューリング期間内の利用可能時間周波数リソース領域２３全体は、時間期間ｔ１〜ｔ２の中の周波数範囲ｆ１〜ｆ２の中の全てのリソースを含む。リソース領域２３ａ（時間期間ｔ１〜ｔ３の中の周波数範囲ｆ１〜ｆ３の中のリソース）は、プレスケジューリングリソース範囲であり、リソース領域２３ｂ（時間期間ｔ１〜ｔ３の中の周波数範囲ｆ３〜ｆ２の中のリソース）は、動的スケジューリングリソース範囲である。
【００５５】
代替で、別の実装では、各スケジューリング期間の時間長は固定されて良く、各スケジューリング期間内のプレスケジューリングリソース範囲及び動的スケジューリングリソース範囲も固定されて良い。この場合、スケジューリング装置及び被スケジューリング装置は、全てのスケジューリング期間についてリソース範囲割り当てを決定するために１度だけ交渉すれば良い。代替で、この場合、被スケジューリング装置は、スケジューリング装置と交渉せずとも、リソース範囲割り当てをプリセットして良い。
【００５６】
任意で、スケジューリング装置は、被スケジューリング装置のサービス使用に従い、被スケジューリング装置のリソース範囲割り当て情報を生成して良い。
【００５７】
ステップ２０４。スケジューリング装置は、スケジューリング指示情報を生成する。ここで、スケジューリング指示情報は、プレスケジューリング情報及び動的スケジューリング情報を含む。
【００５８】
プレスケジューリング情報は、スケジューリング装置が、少なくとも１つのスケジューリング期間内でプレスケジューリングリソース範囲内の無線リソースを被スケジューリング装置に割り当てるか否かを示して良く、プレスケジューリング情報が、スケジューリング装置はプレスケジューリングリソース範囲内の無線リソースを被スケジューリング装置に割り当てると示し得るとき、プレスケジューリング情報は、プレスケジューリングリソース範囲内のスケジューリングリソースを更に示して良く、又は、プレスケジューリングリソース範囲内にあり且つ被スケジューリング装置に割り当てられる無線リソースを示して良い。動的スケジューリング情報は、スケジューリング装置が、少なくとも１つのスケジューリング期間内の動的スケジューリングリソース範囲内の無線リソースを被スケジューリング装置に割り当てるか否かを示して良い。
【００５９】
スケジューリング装置は、具体的に、以下の情報：スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービス送信期間、のうちの少なくとも１つに従い、スケジューリング指示情報を生成して良い。サービス種類は、周期的サービス及びバーストサービスを含んで良い。
【００６０】
例えば、現在の被スケジューリング装置が周期的サービスを有する場合、生成されるプレスケジューリング情報は、スケジューリング装置が、プレスケジューリングリソース範囲内で被スケジューリング装置に無線リソースを割り当てることを示して良く、プレスケジューリング情報は、プレスケジューリングリソース範囲内のどのリソースがデータを受信し又は送信するために被スケジューリング装置に割り当てられるべきリソースであるかを更に示し、又は、プレスケジューリング情報は、プレスケジューリングリソース範囲内のどのリソースがリソーススケジューリングのために使用される制御シグナリングを伝達するリソースであるかを更に示す。プレスケジューリング情報が、プレスケジューリングリソース範囲内のどのリソースがデータを受信し又は送信するために被スケジューリング装置に割り当てられるべきリソースであるか、又は制御シグナリングを伝達するリソースであるかを示すとき、被スケジューリング装置の数、種類、サービス種類、サービスボリュームのサイズ、及びサービス送信期間のような情報は、プレスケジューリング情報を生成するために包括的に考慮されて良い。現在の被スケジューリング装置が周期的サービスを有しない場合、生成されるプレスケジューリング情報は、スケジューリング装置が、プレスケジューリングリソース範囲内で被スケジューリング装置に無線リソースを割り当てないことを示して良い。現在の被スケジューリング装置がバーストサービスを有する場合、生成される動的スケジューリング情報は、スケジューリング装置が、動的スケジューリングリソース範囲内で被スケジューリング装置に無線リソースを割り当てることを示して良い。現在の被スケジューリング装置がバーストサービスを有しない場合、生成される動的スケジューリング情報は、スケジューリング装置が、動的スケジューリングリソース範囲内で被スケジューリング装置に無線リソースを割り当てないことを示して良い。
【００６１】
具体的に、ＬＴＥが一例として使用されて良く、プレスケジューリング情報フォーマットは、
被スケジューリング装置の識別子、例えばスケジューリング装置により被スケジューリング装置に割り当てられるセル無線ネットワーク一時識別子（Ｃ−ＲＮＴＩ）、又は被スケジューリング装置の装置識別子、例えば国際移動電話加入者識別番号（ＩＭＳＩ）、等、
被スケジューリング装置が無線信号を受信する時間及び／又は周波数、例えば被スケジューリング装置がプレスケジューリングリソース範囲内で無線信号を受信するサブフレーム、被スケジューリング装置がプレスケジューリングリソース範囲内で無線信号を受信するサブキャリア、及び被スケジューリング装置がプレスケジューリングリソース範囲内で無線信号を受信する時間及び／又は周波数、
被スケジューリング装置が無線信号を送信する時間及び／又は周波数、例えば被スケジューリング装置がプレスケジューリングリソース範囲内で無線信号を送信するサブフレーム、被スケジューリング装置がプレスケジューリングリソース範囲内で無線信号を送信するサブキャリア、及び被スケジューリング装置がプレスケジューリングリソース範囲内で無線信号を送信する時間及び／又は周波数、
被スケジューリング装置が制御シグナリングを検出する時間及び／又は周波数、例えば被スケジューリング装置がプレスケジューリングリソース範囲内で制御シグナリングを検出するサブフレーム、被スケジューリング装置がプレスケジューリングリソース範囲内で制御シグナリングを検出するサブキャリア、及び被スケジューリング装置がプレスケジューリングリソース範囲内で制御シグナリングを検出する時間及び／又は周波数、を含む。
【００６２】
さらに、プレスケジューリング情報は、被スケジューリング装置が無線信号を送信する及び／又は受信するときに使用される変調方式及び符号化方式のような情報を含んで良い。
【００６３】
動的スケジューリング情報は、スケジューリング装置が、動的スケジューリングリソース範囲内の無線リソースを被スケジューリング装置に割り当てるか否かを示す情報を含んで良い。
【００６４】
前述のステップでは、スケジューリング装置は、スケジューリング装置にアクセスする被スケジューリング装置の数、種類、及びサービスのような関連情報に従い、各スケジューリング装置について、通信又は制御シグナリング検出のために使用されるリソースを指定し、被スケジューリング装置毎にリソース範囲を分割し、各被スケジューリング装置のリソース使用効率を最適化し及び各被スケジューリング装置の全体のスケジューリング効果を向上するために、各被スケジューリング装置の実際の使用を包括的に考慮する。
【００６５】
ステップ２０５。スケジューリング装置は、被スケジューリング装置へスケジューリング指示情報を送信し、被スケジューリング装置は、スケジューリング指示情報を受信する。
【００６６】
スケジューリング装置は、以下の方法で、被スケジューリング装置へスケジューリング指示情報を送信して良い。
【００６７】
スケジューリング装置は、少なくとも１つのスケジューリング期間に先行するサブフレームを用いて、スケジューリング指示情報を送信し、被スケジューリング装置は、少なくとも１つのスケジューリング期間に先行するサブフレームにより伝達されるスケジューリング指示情報を受信する。スケジューリング指示情報を伝達するサブフレームは、ビーコンフレームとして参照されても良い。
【００６８】
図２Ｅを参照すると、図２Ｅは、スケジューリング指示情報を伝達する概略図である。スケジューリング期間は２００ｍｓであり、最初の１００ｍｓ内の全ての利用可能周波数のリソース範囲は、プレスケジューリングリソース範囲２４ａであり、後の１００ｍｓ内の全ての利用可能周波数のリソース範囲は動的スケジューリングリソース範囲２４ｂである。スケジューリング装置は、プレスケジューリングリソース範囲２４ａに先行するサブフレーム２４ｃ内でスケジューリング指示情報を送信し、相応して、被スケジューリング装置も、サブフレーム２４ｃ内のスケジューリング指示情報を受信する。
【００６９】
（２）スケジューリング装置は、プレスケジューリングリソース範囲内のサブフレームを用いて、スケジューリング指示情報を送信し、被スケジューリング装置は、プレスケジューリングリソース範囲内のサブフレームにより伝達されるスケジューリング指示情報を受信する。スケジューリング指示情報を伝達するサブフレームは、ビーコンフレームとして参照されても良い。
【００７０】
図２Ｆを参照すると、図２Ｆは、スケジューリング指示情報を伝達する別の概略図である。スケジューリング期間は２００ｍｓであり、最初の１００ｍｓ内の全ての利用可能周波数のリソース範囲は、プレスケジューリングリソース範囲２５ａであり、後の１００ｍｓ内の全ての利用可能周波数のリソース範囲は動的スケジューリングリソース範囲２５ｂである。スケジューリング装置は、プレスケジューリングリソース範囲２５ａの開始するビーコンフレーム２５ｃ内でスケジューリング指示情報を送信し、相応して、被スケジューリング装置も、ビーコンフレーム２５ｃ内のスケジューリング指示情報を受信する。
【００７１】
（３）スケジューリング装置は、プレスケジューリングリソース範囲内の特定データパケットを用いて、スケジューリング指示情報を送信し、被スケジューリング装置は、プレスケジューリングリソース範囲内の特定データパケットにより伝達されるスケジューリング指示情報を受信する。
【００７２】
図２Ｇを参照すると、図２Ｇは、スケジューリング指示情報を伝達する更に別の概略図である。スケジューリング期間は２００ｍｓであり、最初の１００ｍｓ内の全ての利用可能周波数のリソース範囲は、プレスケジューリングリソース範囲２６ａであり、後の１００ｍｓ内の全ての利用可能周波数のリソース範囲は動的スケジューリングリソース範囲２６ｂである。スケジューリング装置は、プレスケジューリングリソース範囲２６ａの開始するデータパケット２６ｃでスケジューリング指示情報を送信し、相応して、被スケジューリング装置も、データパケット２６ｃでスケジューリング指示情報を受信する。プレスケジューリング情報を伝達するデータパケットは、ブロードキャストデータパケット、マルチキャストデータパケット、又は被スケジューリング装置に専用のデータパケットであって良い。
【００７３】
（４）スケジューリング装置は、プレスケジューリングリソース範囲内の特定サブフレームの特定ＰＤＣＣＨを用いて、スケジューリング指示情報を送信し、被スケジューリング装置は、プレスケジューリングリソース範囲内の特定サブフレームの特定物理ダウンリンク制御チャネル（ＰＤＣＣＨ）により伝達されるスケジューリング指示情報を受信する。
【００７４】
図２Ｈを参照すると、図２Ｈは、スケジューリング指示情報を伝達する更に別の概略図である。スケジューリング期間は１０ｍｓであり、最初の５ｍｓ内の全ての利用可能周波数のリソース範囲は、プレスケジューリングリソース範囲２７ａであり、後の５ｍｓ内の全ての利用可能周波数のリソース範囲は動的スケジューリングリソース範囲２７ｂである。スケジューリング装置は、プレスケジューリングリソース範囲２７ａの開始するサブフレームのＰＤＣＣＨ（図２Ｈに示される２７ｃ）上でスケジューリング指示情報を送信し、相応して、被スケジューリング装置も、ＰＤＣＣＨ上でスケジューリング指示情報を受信する。
【００７５】
（５）スケジューリング装置は、プレスケジューリングリソース範囲内の特定サブフレームの特定ＰＤＣＣＨを用いてチャネル指示情報を送信し、チャネル指示情報により示されるＰＤＳＣＨを用いてスケジューリング指示情報を送信し、被スケジューリング装置は、プレスケジューリングリソース範囲内の特定サブフレームの特定ＰＤＣＣＨにより伝達されるチャネル指示情報を受信し、チャネル指示情報により示される物理ダウンリンク共有チャネルＰＤＳＣＨにより伝達されるスケジューリング指示情報を受信する。
【００７６】
図２Ｉを参照すると、図２Ｉは、スケジューリング指示情報を伝達する更に別の概略図である。スケジューリング期間は１０ｍｓであり、最初の５ｍｓ内の全ての利用可能周波数のリソース範囲は、プレスケジューリングリソース範囲２８ａであり、後の５ｍｓ内の全ての利用可能周波数のリソース範囲は動的スケジューリングリソース範囲２８ｂである。スケジューリング装置は、プレスケジューリングリソース範囲２８ａの開始するサブフレームのＰＤＣＣＨ（図２Ｉに示される２８ｃ）上でチャネル指示情報を送信し、チャネル指示情報は、後のＰＤＳＣＨ（図２Ｉに示す２８ｄ）を示す。相応して、被スケジューリング装置も、ＰＤＳＣＨ上でスケジューリング指示情報を受信する。
【００７７】
（６）スケジューリング装置は、少なくとも１つのスケジューリング期間の前に存在する特定データパケットを用いて、スケジューリング指示情報を送信し、被スケジューリング装置は、少なくとも１つのスケジューリング期間の前に存在する特定データパケットにより伝達されるスケジューリング指示情報を受信する。
【００７８】
図２Ｊを参照すると、図２Ｊは、スケジューリング指示情報を伝達する更なる概略図である。スケジューリング期間は２００ｍｓであり、最初の１００ｍｓ内の全ての利用可能周波数のリソース範囲は、プレスケジューリングリソース範囲２９ａであり、後の１００ｍｓ内の全ての利用可能周波数のリソース範囲は動的スケジューリングリソース範囲２９ｂである。スケジューリング装置は、プレスケジューリングリソース範囲２９ａに先行するデータパケット２９ｃでスケジューリング指示情報を送信し、相応して、被スケジューリング装置も、データパケット２９ｃでスケジューリング指示情報を受信する。プレスケジューリング情報を伝達するデータパケットは、ブロードキャストデータパケット、マルチキャストデータパケット、又は被スケジューリング装置に専用のデータパケットであって良い。
【００７９】
留意すべきことに、ステップ２０１及びステップ２０２の実行、並びにステップ２０４及びステップ２０５の実行に順序はない。例えば、ステップ２０１及びステップ２０４は結合されて良い。つまり、リソース範囲割り当て情報及びスケジューリング指示情報は同時に生成され、リソース範囲割り当て情報及びスケジューリング指示情報は、異なるメッセージを用いて別個に送信されて良く、又は同じメッセージを用いて送信されて良い。リソース範囲割り当て情報を生成し及び送信する、並びにスケジューリング指示情報を生成し及び送信する順序は、本発明の本実施形態に限定されない。
【００８０】
ステップ２０６。プレスケジューリング情報が、スケジューリング装置はプレスケジューリングリソース範囲内で被スケジューリング装置に無線リソースを割り当てることを示すとき、被スケジューリング装置は、プレスケジューリング情報により示される無線リソース上で、データ受信若しくは送信、又は制御シグナリング検出を実行する。
【００８１】
プレスケジューリング情報が、スケジューリング装置はプレスケジューリングリソース範囲内で被スケジューリング装置に無線リソースを割り当てることを示すとき、プレスケジューリング情報は通信のために使用される割り当てられた無線リソースを直接示して良く、被スケジューリング装置は、プレスケジューリング情報により示される無線リソース上で、データ受信若しくは送信を直接実行する。代替で、プレスケジューリング情報が、スケジューリング装置はプレスケジューリングリソース範囲内で被スケジューリング装置に無線リソースを割り当てることを示すとき、プレスケジューリング情報はスケジューリングリソースを示して良く、被スケジューリング装置は、受信又は送信のために使用される無線リソースを得るために、プレスケジューリング情報により示される無線リソース上で制御シグナリング検出を実行し、該無線リソース上でデータ受信又は送信を実行する。被スケジューリング装置に割り当てられ且つ通信のために使用されるスケジューリングリソース及び無線リソースの両者は、プレスケジューリングリソース範囲内の時間周波数リソースである。
【００８２】
任意で、被スケジューリング装置は、プレスケジューリング情報により示されたリソース以外のプレスケジューリングリソース範囲内のリソースで、制御シグナリング検出並びにデータ受信及び送信を実行しない。プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも、制御シグナリング検出、データ受信及び送信を実行しない。
【００８３】
ステップ２０７。動的スケジューリング情報が、スケジューリング装置は動的スケジューリングリソース範囲内で被スケジューリング装置に通信のために使用される無線リソースを割り当てることを示すとき、被スケジューリング装置は、動的スケジューリングリソース範囲内の各サブフレーム内で、制御シグナリング検出を実行する。
【００８４】
動的スケジューリング情報が、スケジューリング装置は動的スケジューリングリソース範囲内で被スケジューリング装置に通信のために使用される無線リソースを割り当てることを示すとき、被スケジューリング装置は、動的スケジューリングリソース範囲内の各サブフレーム内で制御シグナリング検出を実行し、制御シグナリング検出結果に従い、スケジューリング装置が被スケジューリング装置に無線リソースを割り当てるか否かを決定し、被スケジューリング装置は、割り当てられた無線リソース上でデータ受信又は送信を実行する。
【００８５】
被スケジューリング装置のサービスがバーストサービスを含む場合、スケジューリング装置は、バーストサービスのために動的スケジューリングリソース範囲をスケジューリングし、動的スケジューリングリソース範囲内で被スケジューリング装置に無線リソースを割り当てる。この場合、被スケジューリング装置は動的スケジューリングリソース範囲内の各サブフレーム内で制御シグナリング検出を実行するので、動的スケジューリングリソース範囲内のサブフレーム内で、制御シグナリングにより示され且つ通信のために使用される無線リソースを検出すると、被スケジューリング装置は、無線リソースを用いてバーストサービスのデータを受信し又は送信する。
【００８６】
任意で、動的スケジューリング情報が、スケジューリング装置は動的スケジューリングリソース範囲内で被スケジューリング装置に無線リソースを割り当てないことを示すとき、被スケジューリング装置は、動的スケジューリングリソース範囲内のいずれのリソースでも、制御シグナリング検出を実行しない。
【００８７】
ステップ２０８。プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。
【００８８】
留意すべきことに、ステップ２０８は任意的ステップであり、本発明の本実施形態における必須ステップではない。
【００８９】
纏めると、本発明の本実施形態において示されたリソーススケジューリング方法では、スケジューリング装置は、リソース範囲を得るためにスケジューリング期間内の利用可能リソース範囲を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【００９０】
追加で本発明の本実施形態で示された方法によると、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【００９１】
追加で、本発明の本実施形態に示された方法によると、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内の全てのリソース上で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内で制御シグナリング検出を実行しない。したがって、被スケジューリング装置の電力消費が更に低減される。
【００９２】
追加で、本発明の本実施形態に示された方法によると、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【００９３】
図３を参照すると、図３は、本発明の一実施形態によるリソーススケジューリング機器の構造図である。リソーススケジューリング機器は、ハードウェア、又はハードウェアとソフトウェアの組合せを用いて、図１に示す実施環境内の被スケジューリング装置１２０として実装されて良く、図２Ａ−１及び図２Ａ−２の被スケジューリング装置により実行される全部又は一部のステップを実行するよう構成される。機器は、受信ユニット３０１、及び通信ユニット３０２を含んで良い。
【００９４】
受信ユニット３０１は、スケジューリング装置により送信されたスケジューリング指示情報を受信するよう構成される。ここで、スケジューリング指示情報は、プレスケジューリング情報を含む。
【００９５】
通信ユニット３０２は、プレスケジューリング情報が、スケジューリング装置はプレスケジューリングリソース範囲内で被スケジューリング装置に無線リソースを割り当てることを示すとき、プレスケジューリング情報により示される無線リソース上で、データ受信若しくは送信、又は制御シグナリング検出を実行するよう構成される。
【００９６】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【００９７】
任意で、通信ユニット３０２は、具体的に、無線リソースを得るために、プレスケジューリング情報により示されるスケジューリングリソース上で制御シグナリング検出を実行し、該無線リソース上でデータ受信又は送信を実行するよう構成される。
【００９８】
スケジューリングリソースは、プレスケジューリングリソース範囲内の時間周波数リソースである。
【００９９】
任意で、スケジューリング指示情報は、動的スケジューリング情報を更に含み、機器は、
動的スケジューリング情報が、スケジューリング装置は動的スケジューリングリソース範囲内で被スケジューリング装置に無線リソースを割り当てることを示すとき、動的スケジューリングリソース範囲内で制御シグナリング検出を実行するよう構成される検出ユニット３０３を更に含む。
【０１００】
動的スケジューリングリソース範囲は、少なくとも１つのスケジューリング期間内の利用可能時間周波数リソース範囲に含まれる、プレスケジューリングリソース範囲以外のリソース範囲の一部である。
【０１０１】
任意で、通信ユニット３０２は、プレスケジューリング情報が、スケジューリング装置はプレスケジューリングリソース範囲内で被スケジューリング装置に無線リソースを割り当てないことを示すとき、プレスケジューリングリソース範囲内で、データ受信若しくは送信、又は制御シグナリング検出を実行することをスキップするよう更に構成される。
【０１０２】
通信ユニット３０２は、動的スケジューリング情報が、スケジューリング装置は動的スケジューリングリソース範囲内で被スケジューリング装置に無線リソースを割り当てないことを示すとき、動的スケジューリングリソース範囲内で、データ受信若しくは送信、又は制御シグナリング検出を実行することをスキップするよう更に構成される。
【０１０３】
機器は、
プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、スリープモードに入るよう被スケジューリング装置を制御するよう構成されるスリープユニット３０４を更に含む。
【０１０４】
任意で、受信ユニット３０１は、具体的に、少なくとも１つのスケジューリング期間に先行するサブフレームにより伝達されるスケジューリング指示情報を受信するよう構成される、又は、
受信ユニット３０１は、具体的に、プレスケジューリングリソース範囲内の特定データパケットにより伝達されるスケジューリング指示情報を受信するよう構成される、又は、
受信ユニット３０１は、具体的に、プレスケジューリングリソース範囲内のサブフレームにより伝達されるスケジューリング指示情報を受信するよう構成される、又は、
受信ユニット３０１は、具体的に、プレスケジューリングリソース範囲内の特定サブフレームの特定物理ダウンリンク制御チャネル（ＰＤＣＣＨ）により伝達されるスケジューリング指示情報を受信するよう構成される、又は、
受信ユニット３０１は、具体的に、プレスケジューリングリソース範囲内の特定サブフレームの特定ＰＤＣＣＨにより伝達されるチャネル指示情報を受信し、チャネル指示情報により示される物理ダウンリンク共有チャネルＰＤＳＣＨにより伝達されるスケジューリング指示情報を受信するよう構成される、又は、
受信ユニット３０１は、具体的に、少なくとも１つのスケジューリング期間の前に存在する特定データパケットにより伝達されるスケジューリング指示情報を受信するよう構成される。
【０１０５】
任意で、受信ユニット３０１は、スケジューリング装置により送信されたリソース範囲割り当て情報を受信するよう更に構成され、リソース範囲割り当て情報は、少なくとも１つのスケジューリング期間内のプレスケジューリングリソース範囲及び動的スケジューリングリソース範囲を示すために使用される。
【０１０６】
機器は、決定ユニット３０５を更に含む。
【０１０７】
決定ユニット３０５は、リソース範囲割り当て情報に従い、少なくとも１つのスケジューリング期間内のプレスケジューリングリソース範囲及び動的スケジューリングリソース範囲を決定するよう構成される。
【０１０８】
纏めると、本発明の本実施形態において示されたリソーススケジューリング機器によると、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１０９】
追加で、本発明の本実施形態で示された機器によると、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【０１１０】
追加で、本発明の本実施形態に示された機器によると、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内の全てのリソース上で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内のリソース上で制御シグナリング検出を実行しない。したがって、被スケジューリング装置の電力消費が更に低減される。
【０１１１】
追加で、本発明の本実施形態に示された機器によると、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【０１１２】
図４を参照すると、図４は、本発明の一実施形態によるリソーススケジューリング機器の構造図である。リソーススケジューリング機器は、ハードウェア、又はハードウェアとソフトウェアの組合せを用いて、図１に示す実施環境内のスケジューリング装置１１０として実装されて良く、図２Ａ−１及び図２Ａ−２のスケジューリング装置により実行される全部又は一部のステップを実行するよう構成される。機器は、生成ユニット４０１、及び送信ユニット４０２を含んで良い。
【０１１３】
生成ユニット４０１は、スケジューリング指示情報を生成するよう構成される。ここで、スケジューリング指示情報は、プレスケジューリング情報を含む。
【０１１４】
送信ユニット４０２は、スケジューリング指示情報を被スケジューリング装置へ送信するよう構成され、プレスケジューリング情報が、スケジューリング装置はプレスケジューリングリソース範囲内で被スケジューリング装置に無線リソースを割り当てることを示すとき、被スケジューリング装置が、プレスケジューリング情報により示される無線リソース上で、データ受信若しくは送信、又は制御シグナリング受信を実行するようにする。
【０１１５】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１１６】
任意で、スケジューリング指示情報は、動的スケジューリング情報を更に含み、動的スケジューリング情報は、スケジューリング装置が動的スケジューリングリソース範囲内で被スケジューリング装置に無線リソースを割り当てるか否かを示すために使用され、動的スケジューリング情報が、スケジューリング装置は動的スケジューリングリソース範囲内で被スケジューリング装置に無線リソースを割り当てることを示すとき、被スケジューリング装置が動的スケジューリングリソース範囲内のリソース上で制御シグナリング検出を実行するようにする。
【０１１７】
動的スケジューリングリソース範囲は、少なくとも１つのスケジューリング期間内の利用可能時間周波数リソース範囲に含まれる、プレスケジューリングリソース範囲以外のリソース範囲の一部である。
【０１１８】
任意で、送信ユニット４０２は、具体的に、少なくとも１つのスケジューリング期間に先行するサブフレームを用いてスケジューリング指示情報を送信するよう構成される、又は、
送信ユニット４０２は、具体的に、プレスケジューリングリソース範囲内のサブフレームを用いてスケジューリング指示情報を送信するよう構成される、又は、
送信ユニット４０２は、具体的に、プレスケジューリングリソース範囲内の特定データパケットを用いてスケジューリング指示情報を送信するよう構成される、又は、
送信ユニット４０２は、具体的に、プレスケジューリングリソース範囲内の特定サブフレームの特定ＰＤＣＣＨを用いてスケジューリング指示情報を送信するよう構成される、又は、
送信ユニット４０２は、具体的に、プレスケジューリングリソース範囲内の特定サブフレームの特定ＰＤＣＣＨを用いてチャネル指示情報を送信し、チャネル指示情報により示される物理ダウンリンク共有チャネルＰＤＳＣＨを用いてスケジューリング指示情報を送信するよう構成される、又は、
送信ユニット４０２は、具体的に、少なくとも１つのスケジューリング期間の前に存在する特定データパケットを用いてスケジューリング指示情報を送信するよう構成される。
【０１１９】
任意で、生成ユニット４０１は、具体的に、以下の情報：  スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービス送信期間、のうちの少なくとも１つに従い、スケジューリング指示情報を生成するよう構成される。
【０１２０】
任意で、生成ユニット４０１は、スケジューリング装置にアクセスする被スケジューリング装置に関する情報に従い、リソース範囲割り当て情報を生成するよう更に構成され、リソース範囲割り当て情報は、少なくとも１つのスケジューリング期間内のプレスケジューリングリソース範囲及び動的スケジューリングリソース範囲を示すために使用され、スケジューリング装置にアクセスする被スケジューリング装置に関する情報は、被スケジューリング装置の数、被スケジューリング装置の種類、被スケジューリング装置のサービス種類、被スケジューリング装置のサービスボリュームのサイズ、又は被スケジューリング装置のサービス送信期間、のうちの少なくとも１つを含む。
【０１２１】
任意で、生成ユニット４０１は、被スケジューリング装置のサービス使用に従い被スケジューリング装置のリソース範囲割り当て情報を生成するよう更に構成され、リソース範囲割り当て情報は、少なくとも１つのスケジューリング期間内のプレスケジューリングリソース範囲及び動的スケジューリングリソース範囲を示すために使用される。
【０１２２】
送信ユニット４０２は、リソース範囲割り当て情報を被スケジューリング装置へ送信するよう更に構成される。
【０１２３】
纏めると、本発明の本実施形態において示されたリソーススケジューリング機器によると、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行し、並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１２４】
図３及び図４に示されるユニットの中で、受信ユニット及び送信ユニットにより実行されるステップは、プロセッサの制御下で通信機により達成されて良く、他のユニットにより実行されるステップはプロセッサにより独立に達成されて良い。更に、図５を参照すると、図５は、本発明の一実施形態によるネットワーク装置のブロック図である。ネットワーク装置５００は、図１に示されるネットワーク環境内の被スケジューリング装置１２０又はスケジューリング装置１１０として実施されて良い。ネットワーク装置５００は、メモリ５０１、通信機５０２、並びにメモリ５０１及び通信機５０２に接続されたプロセッサ５０３を含む。メモリ５０１は命令を格納するよう構成され、プロセッサ５０３は、メモリ５０１に格納された命令を実行するよう構成される。メモリ５０１は、静的ランダムアクセスメモリ（ＳＲＡＭ）、電子消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク、又は光ディスクのような、揮発性記憶装置又は不揮発性記憶装置又はそれらの組合せ、相応して、メモリ５０１は、プロセッサ５０３のメモリへのアクセスを制御するために、メモリ制御部を更に含んで良い。通信機５０２は、モデムの統合される無線通信機モジュールであって良い。モデムは通信機５０２の外部に独立に置かれて良いこと、及びプロセッサ５０３は中央処理ユニット（ＣＰＵ）又は任意のコプロセッサであって良いことが理解され得る。
【０１２５】
ネットワーク装置５００が図１に示すネットワーク環境内の被スケジューリング装置１２０として実装される場合、メモリ５０１に格納された命令を実行すると、プロセッサ５０３は、スケジューリング装置により送信されたスケジューリング指示情報を受信するよう通信機５０２を制御するよう構成される。ここで、スケジューリング指示情報はプレスケジューリング情報を含む。
【０１２６】
プレスケジューリング情報が、スケジューリング装置はプレスケジューリングリソース範囲内で被スケジューリング装置に無線リソースを割り当てることを示すとき、プロセッサ５０３は、プレスケジューリング情報により示される無線リソース上で、データ受信若しくは送信、又は制御シグナリング検出を実行するよう通信機５０２を制御するよう構成される。
【０１２７】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１２８】
任意で、データ受信若しくは送信又は制御シグナリング検出が、プレスケジューリング情報により示される無線リソース上で実行されるとき、プロセッサ５０３は、無線リソースを取得するために、プレスケジューリング情報により示されるスケジューリングリソース上で制御シグナリング検出を実行するよう通信機５０２を制御し、無線リソース上でデータ受信又は送信を実行するよう通信機５０２を制御するよう構成される。
【０１２９】
スケジューリングリソースは、プレスケジューリングリソース範囲内の時間周波数リソースである。
【０１３０】
任意で、スケジューリング指示情報は、動的スケジューリング情報を更に含み、プロセッサ５０３は、動的スケジューリング情報が、スケジューリング装置は動的スケジューリングリソース範囲内で被スケジューリング装置に無線リソースを割り当てることを示すとき、動的スケジューリングリソース範囲内で制御シグナリング検出を実行するよう通信機５０２を制御するよう更に構成される。
【０１３１】
動的スケジューリングリソース範囲は、少なくとも１つのスケジューリング期間内の利用可能時間周波数リソース範囲に含まれる、プレスケジューリングリソース範囲以外のリソース範囲の一部である。
【０１３２】
任意で、プロセッサ５０３は、プレスケジューリング情報が、スケジューリング装置はプレスケジューリングリソース範囲内で被スケジューリング装置に無線リソースを割り当てないことを示すとき、プレスケジューリングリソース範囲内で、データ受信若しくは送信、又は制御シグナリング検出を実行しないよう通信機を制御するよう更に構成される。
【０１３３】
プロセッサ５０３は、動的スケジューリング情報が、スケジューリング装置は動的スケジューリングリソース範囲内で被スケジューリング装置に無線リソースを割り当てないことを示すとき、動的スケジューリングリソース範囲内で、データ受信若しくは送信、又は制御シグナリング検出を実行しないよう通信機を制御するよう更に構成される。
【０１３４】
プロセッサ５０３は、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、スリープモードに入るよう被スケジューリング装置を制御するよう更に構成される。
【０１３５】
任意で、プロセッサ５０３は、スケジューリング装置により送信されたスケジューリング指示情報を受信するよう通信機５０２を制御するとき、少なくとも１つのスケジューリング期間に先行するサブフレームにより伝達されるスケジューリング指示情報を受信するよう通信機を制御するよう構成される、又は、
プロセッサ５０３は、スケジューリング装置により送信されたスケジューリング指示情報を受信するよう通信機５０２を制御するとき、プレスケジューリングリソース範囲内の特定データパケットにより伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内のビーコンフレームにより伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内の特定サブフレームの特定物理ダウンリンク制御チャネル（ＰＤＣＣＨ）により伝達されるスケジューリング指示情報を受信するよう通信機５０２を制御するよう構成される、又は、
プロセッサ５０３は、スケジューリング装置により送信されたスケジューリング指示情報を受信するよう通信機５０２を制御するとき、プレスケジューリングリソース範囲内の特定サブフレームの特定ＰＤＣＣＨにより伝達されるチャネル指示情報を受信するよう通信機５０２を制御し、チャネル指示情報により示される物理ダウンリンク共有チャネルＰＤＳＣＨにより伝達されるスケジューリング指示情報を受信するよう通信機５０２を制御するよう構成される、又は、
プロセッ５０３サは、スケジューリング装置により送信されたスケジューリング指示情報を受信するよう通信機５０２を制御するとき、少なくとも１つのスケジューリング期間の前に存在する特定データパケットにより伝達されるスケジューリング指示情報を受信するよう通信機５０２を制御するよう構成される。
【０１３６】
任意で、プロセッサ５０３は、スケジューリング装置により送信されたリソース範囲割り当て情報を受信するよう通信機５０２を制御するよう更に構成され、リソース範囲割り当て情報は、少なくとも１つのスケジューリング期間内のプレスケジューリングリソース範囲及び動的スケジューリングリソース範囲を示すために使用され、
プロセッサ５０３は、リソース範囲割り当て情報に従い、少なくとも１つのスケジューリング期間内のプレスケジューリングリソース範囲及び動的スケジューリングリソース範囲を決定するよう更に構成される。
【０１３７】
ネットワーク装置５００が図１に示すネットワーク環境内のスケジューリング装置１１０として実装される場合、メモリ５０１に格納された命令を実行すると、プロセッサ５０３は、スケジューリング指示情報を生成するよう構成される。ここで、スケジューリング指示情報はプレスケジューリング情報を含む。
【０１３８】
プロセッサ５０３は、スケジューリング指示情報を被スケジューリング装置へ送信するよう構成され、プレスケジューリング情報が、スケジューリング装置はプレスケジューリングリソース範囲内で被スケジューリング装置に無線リソースを割り当てることを示すとき、被スケジューリング装置が、プレスケジューリング情報により示される無線リソース上で、データ受信若しくは送信、又は制御シグナリング受信を実行するようにする。
【０１３９】
プレスケジューリング情報により示される無線リソースは、プレスケジューリングリソース範囲内の時間周波数リソースであり、プレスケジューリングリソース範囲は、少なくとも１つのスケジューリング期間内の利用可能時間周波数リソース範囲のうちの全部又は一部である。
【０１４０】
任意で、スケジューリング指示情報は、動的スケジューリング情報を更に含み、動的スケジューリング情報は、スケジューリング装置が動的スケジューリングリソース範囲内で被スケジューリング装置に無線リソースを割り当てるか否かを示すために使用され、動的スケジューリング情報が、スケジューリング装置は動的スケジューリングリソース範囲内で被スケジューリング装置に無線リソースを割り当てることを示すとき、被スケジューリング装置が動的スケジューリングリソース範囲内のリソース上で制御シグナリング検出を実行するようにする。
【０１４１】
動的スケジューリングリソース範囲は、少なくとも１つのスケジューリング期間内の利用可能時間周波数リソース範囲に含まれる、プレスケジューリングリソース範囲以外のリソース範囲の一部である。
【０１４２】
任意で、プロセッサ５０３は、スケジューリング指示情報が被スケジューリング装置へ送信されるとき、少なくとも１つのスケジューリング期間に先行するサブフレームを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内のビーコンフレームを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定データパケットを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定サブフレームの特定ＰＤＣＣＨを用いてスケジューリング指示情報を送信するよう通信機５０２を制御するよう構成される、又は、
プロセッサ５０３は、スケジューリング指示情報が被スケジューリング装置へ送信されるとき、プレスケジューリングリソース範囲内の特定サブフレームの特定ＰＤＣＣＨを用いてチャネル指示情報を送信するよう通信機５０２を制御し、チャネル指示情報により示される物理ダウンリンク共有チャネルＰＤＳＣＨを用いてスケジューリング指示情報を送信するよう通信機５０２を制御するよう構成される、又は、
プロセッサ５０３は、スケジューリング指示情報が被スケジューリング装置へ送信されるとき、少なくとも１つのスケジューリング期間の前に存在する特定データパケットを用いてスケジューリング指示情報を送信するよう通信機５０２を制御するよう構成される。
【０１４３】
任意で、プロセッサ５０３は、スケジューリング指示情報を生成するとき、以下の情報：  スケジューリング装置にアクセスする被スケジューリング装置の数、被スケジューリング装置の種類、被スケジューリング装置のサービス種類、被スケジューリング装置のサービスボリュームのサイズ、又は被スケジューリング装置のサービス送信期間、のうちの少なくとも１つに従い、スケジューリング指示情報を生成するよう構成される。
【０１４４】
任意で、プロセッサ５０３は、スケジューリング指示情報を生成するとき、被スケジューリング装置のサービス種類及び／又はサービスボリュームのサイズ及び／又はサービス送信期間に従いスケジューリング指示情報を生成するよう構成される。
【０１４５】
任意で、プロセッサ５０３は、スケジューリング装置にアクセスする被スケジューリング装置に関する情報に従い、リソース範囲割り当て情報を受信するよう更に構成され、リソース範囲割り当て情報は、少なくとも１つのスケジューリング期間内のプレスケジューリングリソース範囲及び動的スケジューリングリソース範囲を示すために使用される。
【０１４６】
プロセッサ５０３は、リソース範囲割り当て情報を被スケジューリング装置へ送信するよう通信機５０２を制御するよう更に構成される。
【０１４７】
スケジューリング装置にアクセスする被スケジューリング装置に関する情報は、被スケジューリング装置の数、被スケジューリング装置の種類、被スケジューリング装置のサービス種類、被スケジューリング装置のサービスボリュームのサイズ、又は被スケジューリング装置のサービス送信期間、のうちの少なくとも１つを含む。
【０１４８】
プロセッサ５０３は、リソース範囲割り当て情報を生成するとき、１又は複数の、又は全部の被スケジューリング装置について、リソース範囲割り当て情報を別個に生成するよう構成される。
【０１４９】
纏めると、本発明の本実施形態において示されたネットワーク装置が、スケジューリング装置及び被スケジューリング装置として別個に実施されるとき、スケジューリング装置は、リソース範囲を得るためにスケジューリング期間内の利用可能リソース範囲全体を分割し、該リソース範囲をプレスケジューリングリソース範囲として使用し、対応するプレスケジューリング情報を被スケジューリング装置へ送信する。スケジューリング指示情報の中のプレスケジューリング情報が、スケジューリング装置はプレスケジューリングリソース範囲内で被スケジューリング装置に無線リソースを割り当てることを示すときだけ、被スケジューリング装置は、プレスケジューリング情報により示される無線リソース上でデータ受信又は送信を実行する。並びに、被スケジューリング装置は、プレスケジューリングリソース範囲内の全てのリソース上で制御シグナリング検出を実行する必要がない。したがって、被スケジューリング装置の電力消費が低減され、被スケジューリング装置のバッテリ寿命が増大される。
【０１５０】
追加で、プレスケジューリング情報が、スケジューリング装置はプレスケジューリングリソース範囲内で被スケジューリング装置に無線リソースを割り当てないことを示すとき、被スケジューリング装置は、プレスケジューリングリソース範囲内のいずれのリソース上でも制御シグナリング検出を実行しない。したがって、被スケジューリング装置の電力消費が更に低減され、被スケジューリング装置のバッテリ寿命が増大される。
【０１５１】
追加で、スケジューリング指示情報の中の動的スケジューリング情報が、スケジューリング装置は動的スケジューリングリソース範囲内で被スケジューリング装置に無線リソースを割り当てることを示すときだけ、被スケジューリング装置は、動的スケジューリングリソース範囲内で制御シグナリング検出を実行し、動的スケジューリング情報が、スケジューリング装置は動的スケジューリングリソース範囲内で被スケジューリング装置に無線リソースを割り当てないことを示す場合、被スケジューリング装置は、動的スケジューリングリソース範囲内のリソース上で制御シグナリング検出を実行しない。したがって、被スケジューリング装置の電力消費が更に低減される。
【０１５２】
追加で、プレスケジューリング情報が、スケジューリング装置はプレスケジューリングリソース範囲内で被スケジューリング装置に無線リソースを割り当てないことを示し、且つ、動的スケジューリング情報が、スケジューリング装置は動的スケジューリングリソース範囲内で被スケジューリング装置に無線リソースを割り当てないことを示すとき、被スケジューリング装置はスリープモードに入る。したがって、被スケジューリング装置の電力消費が更に低減される。
【０１５３】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０１５４】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０１５５】
本願において提供される幾つかの実施形態では、開示のシステム、機器、及び方法は他の方法で実装されて良いことが理解されるべきである。例えば、記載した装置の実施形態は単なる一例である。例えば、ユニットの分割は、単なる論理的機能の区分であって良く、実際の実装では他の区分であって良い。例えば、複数のユニット又はコンポーネントは、別のシステムに結合又は統合されて良い。或いは、幾つかの機能は無視されるか又は実行されなくて良い。
【０１５６】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に応じて選択されて良い。
【０１５７】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０１５８】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。ソフトウェア製品は、記憶媒体に格納され、コンピュータ装置（パーソナルコンピュータ、サーバ、又はネットワーク装置であって良い）に、本発明の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read−Only  Memory、ROM）、ランダムアクセスメモリ（Random  Access  Memory、RAM）、磁気ディスク又は光ディスクのような、プログラムコードを格納可能な任意の媒体を有する。
【０１５９】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【国際調査報告】
2019500786.tif 000018
2019500786.tif 000019
2019500786.tif 000020
2019500786.tif 000021